(57)【要約】【課題】全長の短縮や高ズーム比化を中心とした仕様の向上、高画素数化に対応した性能の向上（収差補正）ができる奥行きの薄い結像光学系を提供する。【解決手段】物体側より順に、負レンズ成分C11と光路を折り曲げるためのプリズムと正レンズ成分C12とからなるレンズ群G1、負の屈折力を有するレンズ群G2、及び、正の屈折力を有するレンズ群G4、さらに最後部レンズ群GRを少なくとも有し、広角端から望遠端に変倍する際に、前記レンズ群G2とレンズ群G4が光軸上を移動する結像光学系において、正レンズ成分C12はレンズＬAと正レンズＬBとの接合からなり、この接合面は非球面であり、所定の条件式を満足する。【選択図】図１
2011039101.tif 000002
【特許請求の範囲】
【請求項１】
物体側より順に、負レンズ成分C11と、光路を折り曲げるためのプリズムと、正レンズ成分C12とからなるレンズ群G1と、
負の屈折力を有するレンズ群G2と、
正の屈折力を有するレンズ群G4と、
最後部レンズ群GRと、を少なくとも有し、
広角端から望遠端に変倍する際に、前記レンズ群G2と前記レンズ群G4が光軸上を移動する結像光学系にであって、
前記正レンズ成分C12はレンズＬAと正レンズＬBとの接合からなり、
前記正レンズ成分C12の接合面は非球面であり、
以下の条件式（１）、条件式（２）及び条件式（３）を満足することを特徴とする結像光学系。
10＜νd(12B)−νd(11)＜70  …（１）
νd(12A)−νd(12B)＜-5     …（２）
-0.5＜ｆ1／ｆ12A＜0.5      …（３）
ここで、
ｆ1は前記レンズ群G1全体の合成焦点距離、
ｆ12Aは前記レンズＬAの焦点距離、
νd(11)は前記負レンズ成分C11に含まれる負レンズのアッベ数(ndn-1)/(nFn-nCn)、
νd(12A)は前記レンズＬAのアッベ数(ndA-1)/(nFA-nCA)、
νd(12B)は前記正レンズＬBのアッベ数(ndB-1)/(nFB-nCB)、
ｎｄA、ｎCA、ｎFAは、各々前記レンズＬAのｄ線、Ｃ線、Ｆ線に対する屈折率、
ｎｄB、ｎCB、ｎFBは、各々前記正レンズＬBのｄ線、Ｃ線、Ｆ線に対する屈折率、
ｎｄn、ｎCn、ｎFnは、各々前記負レンズのｄ線、Ｃ線、Ｆ線に対する屈折率、
である。
【請求項２】
光軸方向をｚ、光軸に垂直な方向をｈとする座標軸とし、Ｒを球面成分の光軸上における曲率半径、ｋを円錐定数、Ａ4，Ａ6，Ａ8，Ａ10・・・を非球面係数として、
前記非球面の形状を下記の式（４）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋・・・            …（４）
偏倚量を下記の式（５）で表した場合、
Δz＝ｚ−h2／R［１＋｛１−h2／R2 ｝1/2 ］                      …（５）
以下の条件式（６a）または条件式（６b）を満足することを特徴とする請求項１に記載の結像光学系。
Ｒ12C≧０のとき
4.0e-5≦｛P(LA)−P(LB)｝／ｙ10≦5.0e-1  …（６a）
Ｒ12C≦０のとき
-5.0e-1≦｛P(LA)−P(LB)｝／ｙ10≦-4.0e-5  …（６b）
ここで
P(LA)は、レンズＬAの非球面と分散に関するパラメータであって、以下の式で表され、
P(LA)＝（Δｚ12C（h）−Δｚ12A（h））／νd(12A)、
P(LB)は正レンズＬBの非球面と分散に関するパラメータであって、以下の式で表され、
P(LB)＝（Δｚ12C（h）−Δｚ12B（h））／νd(12B)、
Ｒ12Cは接合面の近軸曲率半径、
ｙ10は結像光学系の結像位置近傍に配置された電子撮像素子の有効撮像面内において、中心から最も遠い点までの距離、
ｚ12Aは前記レンズＬAの空気接触面の形状であって、上記式（４）に従う形状、
Δｚ12Aは前記レンズＬAの空気接触面の形状の非球面成分であって、上記式（５）に従う成分、
ｚ12Bは前記正レンズＬBの空気接触面の形状であって、上記式（４）に従う形状、
Δｚ12Bは前記正レンズＬBの空気接触面の形状の非球面成分であって、上記式（５）に従う成分、
ｚ12Cは前記接合面の形状であって、上記式（４）に従う形状、
Δｚ12Cは前記接合面の形状の非球面成分であって、上記式（５）に従う成分、
また、
ｈ＝2.5aであり、
aは以下の式（７）式に従う量、
a＝(ｙ10)2・log10γ／ｆw  …（７）
ｆwは前記結像光学系の広角端における全系の焦点距離、
γはズーム比（望遠端での全系焦点距離／広角端での全系焦点距離）、
また、各面の面頂を原点とするため、常にｚ（０）＝０である。
【請求項３】
横軸をνd(12A)、及び縦軸をθgF(12A)とする直交座標系において、
θgF(12A)＝α(12A)×νd(12A)＋β(12A)
で表される直線を設定したときに、前記レンズＬAのθgF(12A)とνd(12A)が以下の条件式（８）の範囲の下限値であるときの直線、および、条件式（８）の上限値であるときの直線で定まる領域と、
以下の条件式（９）で定まる領域との両方の領域に含まれることを特徴とする請求項１又は２に記載の結像光学系。
０．７８４０＜β(12A)＜０．９０００  …（８）
３＜νd(12A)＜３０                   …（９）
ここで、
α(12A)＝−０．００６６７であり、
θgF(12A)は前記レンズＬAの部分分散比（ｎgA−ｎFA)／（ｎFA−ｎCA）、
νd(12A)は前記レンズＬAのアッベ数（ｎdA−1)／（ｎFA−ｎCA）、
ｎdA、ｎCA、ｎFA、ｎgAはｄ線、Ｃ線、Ｆ線、ｇ線の屈折率をそれぞれ表わす。
【請求項４】
上記の直交座標（横軸をνd、及び縦軸をθgFとする直交座標）とは別の、横軸をνd、及び縦軸をθhgとする直交座標系において、
θhg(12A)＝αhg(12A)×νd(12A)＋βhg(12A)
で表される直線を設定したときに、前記レンズＬAのθhg(12A)とνd(12A)が以下の条件式（１０）の範囲の下限値であるときの直線、及び、条件式（１０）の上限値であるときの直線で定まる領域と、
以下の条件式（９）で定まる領域との両方の領域に含まれることを特徴とする請求項１から請求項３のいずれか一項に記載の結像光学系。
０．８４５０＜βhg(12A)＜０．９８００  …（１０）
３＜νd(12A)＜３０                     …（９）
ここで、
αhg(12A)＝−０．０１１３４、
θhg(12A)は前記レンズＬAの部分分散比（ｎhA−ｎgA)／（ｎFA−ｎCA）、
ｎhAは前記レンズＬAのｈ線の屈折率である。
【請求項５】
以下の条件式（１１a）及び条件式（１１b）の少なくとも一方を満足することを特徴とする請求項１から請求項４のいずれか一項に記載の結像光学系。
−９．０＜−ｆ11／Dp＜−１．０  …（１１a）
０．８＜ｆ12／Dp＜６．０  …（１１b）
ここで、
ｆ11は前記負レンズ成分C11の焦点距離、
ｆ12は前記正レンズ成分C12の焦点距離、
Dpは前記プリズムの入射面から射出面までの光軸に沿った空気換算距離である。
【請求項６】
以下の条件式（１２）を満足することを特徴とする請求項１から請求項５のいずれか一項に記載の結像光学系。
−１．２＜（Ｒ11F＋Ｒ12Ｆ）／（Ｒ11F−Ｒ12Ｆ）＜２．０  …（１２）
ここで、
Ｒ11Fは前記負レンズ成分C11の最も物体側の面の光軸上での曲率半径、
Ｒ12Ｆは前記負レンズ成分C11の最も像側の面の光軸上での曲率半径である。
【請求項７】
以下の条件式（１３）を満足することを特徴とする請求項１から請求項６のいずれか一項に記載の結像光学系。
−０．９＜ｆ2／ｆ1＜−０．２５  …（１３）
ここで、
ｆ1は前記正レンズ群G1の焦点距離、
ｆ2は前記負レンズ群G2の焦点距離、である。
【請求項８】
以下の条件式（１４）を満足することを特徴とする請求項１から請求項７のいずれか一項に記載の結像光学系。
１．６０＜ｎ(12B)＜１．９０  …（１４）
ここで、ｎ(12B)は前記正レンズＬBのｄ線に対する屈折率である。
【請求項９】
前記レンズ群G2と前記レンズ群G4との間に、正の屈折力を有するレンズ群G3が配置されていることを特徴とする請求項１から請求項８のいずれか一項に記載の結像光学系。
【請求項１０】
レンズ群G4と最終レンズ群GRとの間に、変倍時に可動である負の屈折力を有するレンズ群G5を有し、以下の条件式（１８）を満足することを特徴とする請求項１から請求項９のいずれか一項に記載の結像光学系。
０．３＜(−ｆ5)／（ｆw・ｆt）1/2＜１．６  …（１８）
ここで、
ｆ5は前記レンズ群G5の焦点距離、
ｆwは広角端における前記結像光学系の全系焦点距離（無限遠物点合焦時）、
ｆtは望遠端における前記結像光学系の全系焦点距離（無限遠物点合焦時）、
である。
【請求項１１】
前記レンズ群G5は、望遠端にて前記レンズ群G4に最も近づくことを特徴とする請求項１０に記載の結像光学系。
【請求項１２】
前記最終レンズ群GRは物体側から5番目もしくは6番目のレンズ群であり、正の屈折力を有する請求項１０又は請求項１１に記載の結像光学系。
【請求項１３】
請求項１から請求項１２のいずれか一項に記載の結像光学系結像光学系と、
電子撮像素子と、前記結像光学系結像光学系を通じて結像した像を前記電子撮像素子で撮像することによって得られた画像データを加工して像の形状を変化させた画像データとして出力する画像処理手段とを有し、
前記結像光学系結像光学系が、無限遠物点合焦時に次の条件式（Ａ）を満足することを特徴とする電子撮像装置。
０．７＜ｙ07／（ｆｗ・ｔａｎω07w）＜０．９７  …（Ａ）
但し、ｙ07は前記電子撮像素子の有効撮像面内（撮像可能な面内）で中心から最も遠い点までの距離（最大像高）をｙ10としたときｙ07＝０．７・ｙ10として表される。また、ω07wは広角端における前記撮像面上の中心からｙ07の位置に結ぶ像点に対応する物点方向の光軸に対する角度、ｆｗは広角端における前記結像光学系の全系の焦点距離である。
【発明の詳細な説明】
【技術分野】
【０００１】
本発明は、撮像モジュールに使用される結像光学系及びそれを有する電子撮像装置に関するものである。
【背景技術】
【０００２】
デジタルカメラは高画素数化（高画質化）や小型薄型化において実用レベルを達成し、機能的にも市場的にも銀塩３５ｍｍフィルムカメラにとって代わっている。そこで、次なる進化の方向の１つとし、てさらなる高画素数化が強く求められている。この高画素数化では、そのままの小ささ薄さで、かつ高変倍比、広角化といった仕様の向上も要求されている。
【０００３】
これまで、光学系の薄型化に有利であるとして用いられてきた結像光学系として、たとえば、特開２００３-３０２５７６号公報（特許文献１）や特開２００４−２６４３４３号公報（特許文献２）に開示された結像光学系がある。これらの結像光学系では、最も物体側のレンズ群に光路を折り曲げるための反射光学素子（以下、単に反射光学素子とする）を用いている。
【０００４】
また、これらの結像光学系の仕様は、ズーム比が３程度、広角端での半画角が３３度前後である。これらの結像光学系では、反射光学素子を変倍時に移動させると、光学系の光軸が動いてしまうためズーム鏡筒が機械的に複雑化してしまう。
【０００５】
一方、特開平１０−６２６８７公報（特許文献３）や特開平１１−２５８５０７号公報（特許文献４）には、物体側から順に、正の屈折力を有する第１レンズ群、負の屈折力を有する第２レンズ群、正の屈折力を有する第３レンズ群、正の屈折力を有する第４レンズ群にて構成され光学系が開示されている。これらの光学系では、広角端から望遠端へ変倍する際に、第１レンズ群は固定であり、第２レンズ群は像側へ移動し、第３レンズ群は物体側へ移動するズーム方式を採用している。特許文献１、２記載の結像光学系では、このようなズーム方式を基本に、第１レンズ群に反射光学素子を挿入している。これにより、最も物体側のレンズ群が固定でズーム比３程度、広角端での半画角３３度前後となっている。
【０００６】
しかしながら、一般的に、結像光学系の最も物体側のレンズ群に反射光学素子を挿入すると、入射瞳位置が深くなりやすい。また、同時に第２レンズ群以降の全長が伸びやすくなる。それを近軸配置で解消しようとすると、コマ収差や像面湾曲など軸外収差補正が困難となり、ズーム比の観点では不利となる。
【０００７】
したがって、上記の記ズーム方式において、最も物体側のレンズ群に反射光学素子を挿入した結像光学系では、小型を維持しながらズーム比５倍程度を得ることは困難である。なお、特許文献１ではズーム比５．５倍を超えることを勧めていない。
【０００８】
一方、高倍率に強いズーム方式として、たとえば、特開昭６２−１７８９１７号公報（特許文献５）、特開昭６３−２９７１８号公報（特許文献６）、特開昭６３−１２３００９号公報（特許文献７）のようなホームビデオカメラに用いられるものがある。
【０００９】
これらの光学系は、物体側から順に、正の屈折力を有する第１レンズ群、負の屈折力を有する第２レンズ群、正の屈折力を有する第３レンズ群、正の屈折力を有する第４レンズ群にて構成されている。そして、これらの光学系では、広角端から望遠端へ変倍する際に、第１レンズ群は固定であり、第２レンズ群は像側へ移動し、第３レンズ群は固定である。また、第４レンズ群は、変倍時および合焦時に光軸上を移動する。これらの光学系を基本に、最も物体側のレンズ群に反射光学素子を挿入して構成することが考えられる。このような例として、たとえば、特開２００８−８３１２５号公報（特許文献８）記載の結像光学系がある。
【００１０】
前述したように、結像光学系の最も物体側のレンズ群に反射光学素子を挿入すると、小型を維持しながらの収差補正が困難になる。ズーム比５倍あるいはそれ以上の場合は、特に像面湾曲や望遠側における高次の色収差の補正が困難になる。
【００１１】
特許文献８では、第４レンズ群の像側に第５レンズ群を加えている。この第５レンズ群は像面湾曲を補正する機能を有しているので、像面湾曲を良好に補正することが出来るようになった。しかしながら、高次の色収差、つまり色の球面収差、色コマ、倍率色収差の像高に関する高次成分（色の歪曲収差）は、基準波長（たとえばｄ線＝587.56nm）に対する高次収差発生源と材料の分散とが複雑に絡んでいる。
【００１２】
このため、一般的にこれらを補正することは、基準波長に対する収差の補正や近軸色収差の補正を犠牲にすることになる。しかも、小型化するほど補正が困難である。これを解決する技術手段として、特開２００８−１０８７１２号公報（特許文献９）、特開２００８−１９１２８６号公報（特許文献１０）の結像光学系が提案されている。
【先行技術文献】
【特許文献】
【００１３】
【特許文献１】特開２００３−３０２５７６号公報
【特許文献２】特開２００４−２６４３４３号公報
【特許文献３】特開平１０−６２６８７号公報
【特許文献４】特開平１１−２５８５０７号公報
【特許文献５】特開昭６２−１７８９１７号公報
【特許文献６】特開昭６３−２９７１８号公報
【特許文献７】特開昭６３−１２３００９号公報
【特許文献８】特開２００８−８３１２５号公報
【特許文献９】特開２００８−１０８７１２号公報
【特許文献１０】特開２００８−１９１２８６号公報
【発明の概要】
【発明が解決しようとする課題】
【００１４】
しかしながら、これらの結像光学系においては、高次の色収差が十分に補正されているとはいえなかった。
【００１５】
上述した課題を解決するために、本発明では、全長の短縮や高ズーム比化等の仕様の向上を行なっても、高次の色収差が十分に補正されている結像光学系、及びそれを用いた電子撮像装置を提供することを目的とする。
【課題を解決するための手段】
【００１６】
本発明の結像光学系は、物体側より順に、負レンズ成分C11と、光路を折り曲げるためのプリズムと、正レンズ成分C12とからなるレンズ群G1と、
負の屈折力を有するレンズ群G2と、
正の屈折力を有するレンズ群G4と、
最後部レンズ群GRとを少なくとも有し、
広角端から望遠端に変倍する際に、前記レンズ群G2と前記レンズ群G4が光軸上を移動する結像光学系であって、
前記正レンズ成分C12はレンズＬAと正レンズＬBとの接合からなり、
前記正レンズ成分C12の接合面は非球面であり、
以下の条件式（１）、条件式（２）及び条件式（３）を満足することを特徴とする。
10＜νd(12B)−νd(11)＜70  …（１）
νd(12A)−νd(12B)＜-5     …（２）
-0.5＜ｆ1／ｆ12A＜0.5      …（３）
ここで、
ｆ1は前記レンズ群G1全体の合成焦点距離、
ｆ12Aは前記レンズＬAの焦点距離、
νd(11)は前記負レンズ成分C11に含まれる負レンズのアッベ数(ndn-1)/(nFn-nCn)、
νd(12A)は前記レンズＬAのアッベ数(ndA-1)/(nFA-nCA)、
νd(12B)は前記正レンズＬBのアッベ数(ndB-1)/(nFB-nCB)、
ｎｄA、ｎCA、ｎFAは、各々前記レンズＬAのｄ線、Ｃ線、Ｆ線に対する屈折率、
ｎｄB、ｎCB、ｎFBは、各々前記正レンズＬBのｄ線、Ｃ線、Ｆ線に対する屈折率、
ｎｄn、ｎCn、ｎFnは、各々前記負レンズのｄ線、Ｃ線、Ｆ線に対する屈折率、
である。
【００１７】
また、本発明に係る電子撮像装置は、結像光学系結像光学系と、電子撮像素子と、前記結像光学系結像光学系を通じて結像した像を前記電子撮像素子で撮像することによって得られた画像データを加工して像の形状を変化させた画像データとして出力する画像処理手段とを有し、前記結像光学系結像光学系が、無限遠物点合焦時に次の条件式（Ａ）を満足することを特徴とする。
０．７＜ｙ07／（ｆｗ・ｔａｎω07w）＜０．９７  …（Ａ）
但し、ｙ07は前記電子撮像素子の有効撮像面内（撮像可能な面内）で中心から最も遠い点までの距離（最大像高）をｙ10としたときｙ07＝０．７・ｙ10として表される。また、ω07wは広角端における前記撮像面上の中心からｙ07の位置に結ぶ像点に対応する物点方向の光軸に対する角度、ｆｗは広角端における前記結像光学系の全系の焦点距離である。
【発明の効果】
【００１８】
本発明によれば、全長の短縮や高ズーム比化等の仕様の向上を行なっても、高次の色収差が十分に補正されている結像光学系、及びそれを用いた電子撮像装置を提供することが可能となる。
【図面の簡単な説明】
【００１９】
【図１】本発明の実施例１にかかる結像光学系結像光学系の（ａ）は広角端、（ｂ）は中間、（ｃ）は望遠端における無限遠物点合焦時の光学構成を示す光軸に沿う断面図である。
【図２】実施例１にかかる結像光学系結像光学系の無限遠物点合焦時における球面収差、非点収差、歪曲収差、倍率色収差を示す図であり、（a）は広角端、（b）は中間、（c）は望遠端での状態を示している。
【図３】本発明の実施例２にかかる結像光学系結像光学系の（ａ）は広角端、（ｂ）は中間、（ｃ）は望遠端における無限遠物点合焦時の光学構成を示す光軸に沿う断面図である。
【図４】実施例２にかかる結像光学系結像光学系の無限遠物点合焦時における球面収差、非点収差、歪曲収差、倍率色収差を示す図であり、（a）は広角端、（b）は中間、（c）は望遠端での状態を示している。
【図５】本発明の実施例３にかかる結像光学系結像光学系の（ａ）は広角端、（ｂ）は中間、（ｃ）は望遠端における無限遠物点合焦時の光学構成を示す光軸に沿う断面図である。
【図６】実施例３にかかる結像光学系結像光学系の無限遠物点合焦時における球面収差、非点収差、歪曲収差、倍率色収差を示す図であり、（a）は広角端、（b）は中間、（c）は望遠端での状態を示している。
【図７】本発明の実施例４にかかる結像光学系結像光学系の（ａ）は広角端、（ｂ）は中間、（ｃ）は望遠端における無限遠物点合焦時の光学構成を示す光軸に沿う断面図である。
【図８】実施例４にかかる結像光学系結像光学系の無限遠物点合焦時における球面収差、非点収差、歪曲収差、倍率色収差を示す図であり、（a）は広角端、（b）は中間、（c）は望遠端での状態を示している。
【図９】本発明の実施例５にかかる結像光学系結像光学系の（ａ）は広角端、（ｂ）は中間、（ｃ）は望遠端における無限遠物点合焦時の光学構成を示す光軸に沿う断面図である。
【図１０】実施例５にかかる結像光学系結像光学系の無限遠物点合焦時における球面収差、非点収差、歪曲収差、倍率色収差を示す図であり、（a）は広角端、（b）は中間、（c）は望遠端での状態を示している。
【図１１】本発明の実施例６にかかる結像光学系結像光学系の（ａ）は広角端、（ｂ）は中間、（ｃ）は望遠端における無限遠物点合焦時の光学構成を示す光軸に沿う断面図である。
【図１２】実施例６にかかる結像光学系結像光学系の無限遠物点合焦時における球面収差、非点収差、歪曲収差、倍率色収差を示す図であり、（a）は広角端、（b）は中間、（c）は望遠端での状態を示している。
【図１３】本発明の実施例７にかかる結像光学系結像光学系の（ａ）は広角端、（ｂ）は中間、（ｃ）は望遠端における無限遠物点合焦時の光学構成を示す光軸に沿う断面図である。
【図１４】実施例７にかかる結像光学系結像光学系の無限遠物点合焦時における球面収差、非点収差、歪曲収差、倍率色収差を示す図であり、（a）は広角端、（b）は中間、（c）は望遠端での状態を示している。
【図１５】本発明の実施例８にかかる結像光学系結像光学系の（ａ）は広角端、（ｂ）は中間、（ｃ）は望遠端における無限遠物点合焦時の光学構成を示す光軸に沿う断面図である。
【図１６】実施例８にかかる結像光学系結像光学系の無限遠物点合焦時における球面収差、非点収差、歪曲収差、倍率色収差を示す図であり、（a）は広角端、（b）は中間、（c）は望遠端での状態を示している。
【図１７】本発明の実施例９にかかる結像光学系結像光学系の（ａ）は広角端、（ｂ）は中間、（ｃ）は望遠端における無限遠物点合焦時の光学構成を示す光軸に沿う断面図である。
【図１８】実施例９にかかる結像光学系結像光学系の無限遠物点合焦時における球面収差、非点収差、歪曲収差、倍率色収差を示す図であり、（a）は広角端、（b）は中間、（c）は望遠端での状態を示している。
【図１９】本発明の実施例１０にかかる結像光学系結像光学系の（ａ）は広角端、（ｂ）は中間、（ｃ）は望遠端における無限遠物点合焦時の光学構成を示す光軸に沿う断面図である。
【図２０】実施例１０にかかる結像光学系結像光学系の無限遠物点合焦時における球面収差、非点収差、歪曲収差、倍率色収差を示す図であり、（a）は広角端、（b）は中間、（c）は望遠端での状態を示している。
【図２１】本発明の実施例１１にかかる結像光学系結像光学系の（ａ）は広角端、（ｂ）は中間、（ｃ）は望遠端における無限遠物点合焦時の光学構成を示す光軸に沿う断面図である。
【図２２】実施例１１にかかる結像光学系結像光学系の無限遠物点合焦時における球面収差、非点収差、歪曲収差、倍率色収差を示す図であり、（a）は広角端、（b）は中間、（c）は望遠端での状態を示している。
【図２３】本発明の実施例１２にかかる結像光学系結像光学系の（ａ）は広角端、（ｂ）は中間、（ｃ）は望遠端における無限遠物点合焦時の光学構成を示す光軸に沿う断面図である。
【図２４】実施例１２にかかる結像光学系結像光学系の無限遠物点合焦時における球面収差、非点収差、歪曲収差、倍率色収差を示す図であり、（a）は広角端、（b）は中間、（c）は望遠端での状態を示している。
【図２５】本発明の実施例１３にかかる結像光学系結像光学系の（ａ）は広角端、（ｂ）は中間、（ｃ）は望遠端における無限遠物点合焦時の光学構成を示す光軸に沿う断面図である。
【図２６】実施例１３にかかる結像光学系結像光学系の無限遠物点合焦時における球面収差、非点収差、歪曲収差、倍率色収差を示す図であり、（a）は広角端、（b）は中間、（c）は望遠端での状態を示している。
【図２７】本発明の実施例１４にかかる結像光学系結像光学系の（ａ）は広角端、（ｂ）は中間、（ｃ）は望遠端における無限遠物点合焦時の光学構成を示す光軸に沿う断面図である。
【図２８】実施例１４にかかる結像光学系結像光学系の無限遠物点合焦時における球面収差、非点収差、歪曲収差、倍率色収差を示す図であり、（a）は広角端、（b）は中間、（c）は望遠端での状態を示している。
【図２９】本発明の実施例１５にかかる結像光学系結像光学系の（ａ）は広角端、（ｂ）は中間、（ｃ）は望遠端における無限遠物点合焦時の光学構成を示す光軸に沿う断面図である。
【図３０】実施例１５にかかる結像光学系結像光学系の無限遠物点合焦時における球面収差、非点収差、歪曲収差、倍率色収差を示す図であり、（a）は広角端、（b）は中間、（c）は望遠端での状態を示している。
【図３１】本発明による結像光学系結像光学系を組み込んだデジタルカメラ４０の外観を示す前方斜視図である。
【図３２】デジタルカメラ４０の後方斜視図である。
【図３３】デジタルカメラ４０の光学構成を示す断面図である。
【図３４】本発明の結像光学系結像光学系が対物光学系として内蔵された情報処理装置の一例であるパソコン３００のカバーを開いた状態の前方斜視図である。
【図３５】パソコン３００の撮影光学系３０３の断面図である。
【図３６】パソコン３００の側面図である。
【図３７】本発明の結像光学系結像光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００２０】
まず、実施例の説明に先立ち、本実施形態の結像光学系の作用効果について説明する。
本実施形態の結像光学系は、物体側より順に、負レンズ成分C11と、光路を折り曲げるためのプリズムと、正レンズ成分C12とからなるレンズ群G1と、
負の屈折力を有するレンズ群G2と、
正の屈折力を有するレンズ群G4と、
最後部レンズ群GRとを少なくとも有し、
広角端から望遠端に変倍する際に、レンズ群G2とレンズ群G4が光軸上を移動する結像光学系にであって、
正レンズ成分C12はレンズＬAと正レンズＬBとの接合からなり、
正レンズ成分C12の接合面は非球面であり、
以下の条件式（１）、条件式（２）及び条件式（３）を満足することを特徴とする。
10＜νd(12B)−νd(11)＜70  …（１）
νd(12A)−νd(12B)＜-5     …（２）
-0.5＜ｆ1／ｆ12A＜0.5      …（３）
ここで、
ｆ1はレンズ群G1全体の合成焦点距離、
ｆ12AはレンズＬAの焦点距離、
νd(11)は負レンズ成分C11に含まれる負レンズのアッベ数(ndn-1)/(nFn-nCn)、
νd(12A)はレンズＬAのアッベ数(ndA-1)/(nFA-nCA)、
νd(12B)は正レンズＬBのアッベ数(ndB-1)/(nFB-nCB)、
ｎｄA、ｎCA、ｎFAは、各々レンズＬAのｄ線、Ｃ線、Ｆ線に対する屈折率、
ｎｄB、ｎCB、ｎFBは、各々正レンズＬBのｄ線、Ｃ線、Ｆ線に対する屈折率、
ｎｄn、ｎCn、ｎFnは、各々負レンズのｄ線、Ｃ線、Ｆ線に対する屈折率、
である。
【００２１】
本実施形態の結像光学系は、負レンズ成分C11が負レンズを含み、正レンズ成分C12が正レンズＬBを含む。そして、第1レンズ群G1で発生する軸上色収差と倍率色収差の補正を、この負レンズと正レンズＬBにて行なっている。
【００２２】
条件式（１）の下限値を下回ると、軸上色収差および倍率色収差をズーム全域において良好に補正することが困難となる。一方、条件式（１）の上限値を上回ると、倍率色収差が補正過剰となる。その結果、ズーム全域において良好に補正することが困難となる。
【００２３】
一方、レンズＬAの役割は、軸上色収差や近軸的な倍率色収差の補正ではない。レンズＬAの役割は、高次の色収差を補正することである。高次の色収差としては、具体的には、色の球面収差、色コマ、倍率色収差の像高に関する高次成分（色の歪曲収差）などである。条件式（２）を満足することより、高次の色収差を補正することができる。条件式（２）を満足する場合、正レンズＬBは、レンズＬAよりも低分散になる。そして、非球面を介して、レンズＬAと正レンズＬBを接合することにより、高次の色収差を補正することができる。
【００２４】
また、条件式（３）が示すように、レンズＬAの屈折力は小さいほうが好ましい。条件式（３）の下限値を下回ると屈折力が小さくなる。この場合、軸上色収差や近軸的な倍率色収差が補正過剰になりやすくなるか、又は負レンズ成分C11の屈折力が弱まる。これにより、入射瞳位置が深くなってプリズムの小型化が難しくなる。一方、条件式（３）の上限値を上回ると屈折力が大きくなる。この場合、軸上色収差や近軸的な倍率色収差が補正不足になりやすい。
【００２５】
なお、条件式（１）に代えて、条件式（１’）を満足すると、より好ましい。
15＜νd(12B)−νd(11)＜55  …（１’）
【００２６】
さらに、条件式（１）に代えて、条件式（１”）を満足すると、より一層好ましい。
20＜νd(12B)− νd(11)＜40  …（１”）
【００２７】
なお、条件式（２）に代えて、条件式（２’）を満足すると、より好ましい。
νd(12A)−νd(12B)＜-10  …（２’）
【００２８】
さらに、条件式（２）に代えて、条件式（２”）を満足すると、より一層好ましい。
νd(12A)−νd(12B)＜-15  …（２”）
【００２９】
なお、条件式（３）に代えて、条件式（３’）を満足すると、より好ましい。
-0.25＜ｆ1／ｆ12A＜0.3  …（３’）
【００３０】
さらに、条件式（３）に代えて、条件式（３”）を満足すると、より一層好ましい。
-0.14＜ｆ1／ｆ12A＜0.16  …（３”）
【００３１】
また、条件式（３）、（３’）、（３”）に代えて、次の条件式（３a）、（３a’）、（３a”）または（３b）、（３b’）、（３b”）を満足するのが好ましい。
-0.07＜ｆ1／ｆ12A＜0.5  …（３a）
-0.07＜ｆ1／ｆ12A＜0.3  …（３a’）
-0.07＜ｆ1／ｆ12A＜0.16  …（３a”）
0      ＜ｆ1／ｆ12A＜0.5  …（３b）
0      ＜ｆ1／ｆ12A＜0.3  …（３b’）
0      ＜ｆ1／ｆ12A＜0.16  …（３b”）
【００３２】
上記条件を満足すると、レンズ成分C12を薄く構成しやすくなるので好ましい。
【００３３】
また、レンズＬAと正レンズＬBの接合面にて高次の色収差を補正すると、基準波長に対する各収差が悪化する場合がある。このことは、接合面における基準波長に対する屈折率の差が大きいことが原因のことが多い。
【００３４】
したがって、レンズＬAと正レンズＬBの屈折率の差は０．３以下にするのが好ましい。なお、屈折率の差は０．２以下とすればより好ましく、０．１２以下とするのが最も好ましい。
【００３５】
また、第１レンズ群はプリズムを含むため、変倍中は結像位置に対してほぼ固定にしたほうがよい。
【００３６】
また、レンズ成分C12の最も物体側の面と最も像側の面は、いずれにも非球面であることが好ましい。このようにすると、結像光学系の高倍率化（変倍比向上）において、特に望遠側の球面収差、コマ収差の補正が行ないやすい。
【００３７】
また、実施形態の結像光学系は、光軸方向をｚ、光軸に垂直な方向をｈとする座標軸とし、Ｒを球面成分の光軸上における曲率半径、ｋを円錐定数、Ａ4，Ａ6，Ａ8，Ａ10・・・を非球面係数として、
非球面の形状を下記の式（４）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋・・・            …（４）
偏倚量を下記の式（５）で表した場合、
Δz＝ｚ−h2／R［１＋｛１−h2／R2 ｝1/2 ］                      …（５）
以下の条件式（６a）または条件式（６b）を満足することを特徴とする。
Ｒ12C≧０のとき
4.0e-5≦｛P(LA)−P(LB)｝／ｙ10≦5.0e-1  …（６a）
Ｒ12C≦０のとき
-5.0e-1≦｛P(LA)−P(LB)｝／ｙ10≦-4.0e-5  …（６b）
ここで
P(LA)は、レンズＬAの非球面と分散に関するパラメータであって、以下の式で表され、
P(LA)＝（Δｚ12C（h）−Δｚ12A（h））／νd(12A)、
P(LB)は正レンズＬBの非球面と分散に関するパラメータであって、以下の式で表され、
P(LB)＝（Δｚ12C（h）−Δｚ12B（h））／νd(12B)、
Ｒ12Cは接合面の近軸曲率半径、
ｙ10は結像光学系の結像位置近傍に配置された電子撮像素子の有効撮像面内において、中心から最も遠い点までの距離、
ｚ12AはレンズＬAの空気接触面の形状であって、式（４）に従う形状、
Δｚ12AはレンズＬAの空気接触面の形状の非球面成分であって、式（５）に従う成分、
ｚ12Bは正レンズＬBの空気接触面の形状であって、式（４）に従う形状、
Δｚ12Bは正レンズＬBの空気接触面の形状の非球面成分であって、式（５）に従う成分、
ｚ12Cは接合面の形状であって、式（４）に従う形状、
Δｚ12Cは接合面の形状の非球面成分であって、式（５）に従う成分、
また、
ｈ＝2.5aであり、
aは以下の式（７）式に従う量、
a＝(ｙ10)2・log10γ／ｆw  …（７）
ｆwは結像光学系の広角端における全系の焦点距離、
γはズーム比（望遠端での全系焦点距離／広角端での全系焦点距離）、
また、各面の面頂を原点とするため、常にｚ（０）＝０である。
【００３８】
条件式（６a）の下限値を下回るか、または条件式（６b）の上限値を上回ると、特に望遠側において、球面収差やコマ収差を補正しながら、高次の色収差を補正することが困難となる。具体的には、色の球面収差、色コマ、倍率色収差の像高に関する高次成分（色の歪曲収差）を補正することが困難となる。
【００３９】
一方、条件式（６a）の上限値を上回るか、または条件式（６b）の下限値を下回ると、これらの高次の色収差の補正が過剰となるか、またはd線など基準となる波長に対する収差が悪化しやすい。
【００４０】
なお、条件式（６a）に代えて、次の条件式（６a’）を満足すると、より好ましい。
2.0e-5≦｛P(LA) − P(LB) ｝／ｙ10≦1.0e-2  …（６a’）
【００４１】
さらに、条件式（６a）に代えて、次の条件式（６a”）を満足すると、より一層好ましい。
1.0e-4≦｛P(LA) − P(LB) ｝／ｙ10≦2.0e-3  …（６a”）
【００４２】
あるいは、条件式（６b）に代えて、次の条件式（６b’）を満足すると、より好ましい。
-1.0e-2≦｛P(LA) − P(LB) ｝／ｙ10≦-2.0e-5  …（６b’）
【００４３】
あるいはさらに、条件式（６b）に代えて、次の条件式（６b”）を満足すると、より一層好ましい。
-2.0e-3≦｛P(LA) − P(LB) ｝／ｙ10≦-1.0e-4  …（６b”）
【００４４】
また、本実施形態の結像光学系では、横軸をνd(12A)、及び縦軸をθgF(12A)とする直交座標系において、
θgF(12A)＝α(12A)×νd(12A)＋β(12A)
で表される直線を設定したときに、レンズＬAのθgF(12A)とνd(12A)が以下の条件式（８）の範囲の下限値であるときの直線、および、条件式（８）の上限値であるときの直線で定まる領域と、
以下の条件式（９）で定まる領域との両方の領域に含まれることが好ましい。
０．７８４０＜β(12A)＜０．９０００  …（８）
３＜νd(12A)＜３０                   …（９）
ここで、
α(12A)＝−０．００６６７であり、
θgF(12A)はレンズＬAの部分分散比（ｎgA−ｎFA)／（ｎFA−ｎCA）、
νd(12A)はレンズＬAのアッベ数（ｎdA−1)／（ｎFA−ｎCA）、
ｎdA、ｎCA、ｎFA、ｎgAはｄ線、Ｃ線、Ｆ線、ｇ線の屈折率をそれぞれ表わす。
【００４５】
収差補正において、２次スペクトルによる高次の色収差を補正したとする。具体的には、球面収差、コマ収差、歪曲収差について、F線とｄ線（基準波長）での差が小さくなるように補正したとする。条件式（８）の上限値を上回る場合、望遠側にてｇ線の各収差に対する補正が過剰になりやすい。そのため、望遠側での撮像で得た画像において、画像の鮮鋭さを確保しづらくなってしまう。
【００４６】
条件式（８）の下限値を下回る場合、ｇ線の各収差に対する補正が不足になりやすい。そのため、望遠側での撮像で得た画像において、画像の鮮鋭さを確保しづらくなってしまう。
【００４７】
条件式（９）の上限値を上回る場合、高次の色収差に対する補正効果が不足しやすくなる。一方、条件式（９）の下限値を下回る場合、ｄ線など基準波長の各収差を補正するためにレンズＬAの空気接触面側を非球面にすると、この非球面により高次の色収差が発生しやすくなる。これを抑えようとすると、ｄ線（基準波長）での各収差に対する補正が不足となりやすい。
【００４８】
なお、条件式（８）に代えて、次の条件式（８’）を満足すると、より好ましい。
０．７９２０＜β(12A)＜０．８８００  …（８’）
【００４９】
さらに、条件式（８）に代えて、次の条件式（８”）を満足すると、より一層好ましい。
０．８０００＜β(12A)＜０．８６００  …（８”）
【００５０】
なお、条件式（９）に代えて、次の条件式（９’）を満足すると、より好ましい。
１３＜νd(12A)＜２７  …（９’）
【００５１】
さらに、条件式（９）に代えて、次の条件式（９”）を満足すると、より一層好ましい。
１５＜νd(12A)＜２５  …（９”）
【００５２】
また、本実施形態の結像光学系では、  上記の直交座標（横軸をνd、及び縦軸をθgFとする直交座標）とは別の、横軸をνd、及び縦軸をθhgとする直交座標系において、
θhg(12A)＝αhg(12A)×νd(12A)＋βhg(12A)
で表される直線を設定したときに、レンズＬAのθhg(12A)とνd(12A)が以下の条件式（１０）の範囲の下限値であるときの直線、及び、条件式（１０）の上限値であるときの直線で定まる領域と、
以下の条件式（９）で定まる領域との両方の領域に含まれることが好ましい。
０．８４５０＜βhg(12A)＜０．９８００  …（１０）
３＜νd(12A)＜３０                     …（９）
ここで、
αhg(12A)＝−０．０１１３４、
θhg(12A)はレンズＬAの部分分散比（ｎhA−ｎgA)／（ｎFA−ｎCA）、
ｎhAはレンズＬAのｈ線の屈折率である。
【００５３】
収差補正において、２次スペクトルによる高次の色収差を補正したとする。具体的には、球面収差、コマ収差、歪曲収差について、F線とｄ線（基準波長）での差が小さくなるように補正したとする。条件式（１０）の上限値を上回る場合、望遠側にてh線の各収差に対する補正が過剰になりやすい。そのため、望遠側での撮像で得た画像において、画面全体に亘り紫の色フレア、色にじみが発生しやすい。
【００５４】
条件式（１０）の下限値を下回る場合、望遠側にてh線の各収差に対する補正が不足になりやすい。そのため、望遠側での撮像で得た画像において、画面全体に亘り紫の色フレア、色にじみが発生しやすい。
【００５５】
なお、条件式（１０）に代えて、次の条件式（１０’）を満足すると、より好ましい。
０．８５５０＜βhg(12A)＜０．９６００  …（１０’）
【００５６】
さらに、条件式（１０）に代えて、次の条件式（１０”）を満足すると、より一層好ましい。
０．８６５０＜βhg(12A)＜０．９４００  …（１０”）
【００５７】
また、本実施形態の結像光学系は、以下の条件式（１１a）あるいは条件式（１１b）あるいはその両方を満足することが好ましい。
−９．０＜−ｆ11／Dp＜−１．０  …（１１a）
０．８＜ｆ12／Dp＜６．０  …（１１b）
ここで、
ｆ11は負レンズ成分C11の焦点距離、
ｆ12は正レンズ成分C12の焦点距離、
Dpはプリズムの入射面から射出面までの光軸に沿った空気換算距離である。
【００５８】
光路を折り曲げるためには一定以上のプリズム光路長が必要である。それに対して負レンズ成分C11の焦点距離、あるいは正レンズ成分C12の焦点距離が十分小さくないと第１レンズ群全体が肥大化しやすい。条件式（１１a）あるいは条件式（１１b）を満足すると、入射瞳位置をできるだけ浅くすることができる。そのため、光学系を肥大化せずに広角化することができる。
【００５９】
条件式（１１ａ）、（１１ｂ）の上限値を上回ると、第1レンズ群全体が肥大化しやすくなる。また、条件式（１１ａ）、（１１ｂ）の下限値を下回ると、特に望遠端において高次の色収差が発生しやすい。
【００６０】
なお、条件式（１１a）に代えて、次の条件式（１１a’）を満足すると、より好ましい。
−６．０＜−ｆ11／Dp＜−１．５  …（１１a’）
【００６１】
さらに、条件式（１１a）に代えて、次の条件式（１１a”）を満足すると、より一層好ましい。
−４．０＜−ｆ11／Dp＜−２．０  …（１１a”）
【００６２】
なお、条件式（１１b）に代えて、次の条件式（１１b’）を満足すると、より好ましい。
１．２＜ｆ12／Dp＜３．５  …（１１b’）
【００６３】
さらに、条件式（１１a）に代えて、次の条件式（１１b”）を満足すると、より一層好ましい。
１．６＜ｆ12／Dp＜２．５  …（１１b”）
【００６４】
また、本実施形態の結像光学系は、以下の条件式（１２）を満足すると好ましい。
−１．２＜（Ｒ11F＋Ｒ12Ｆ）／（Ｒ11F−Ｒ12Ｆ）＜２．０  …（１２）
ここで、
Ｒ11Fは負レンズ成分C11の最も物体側の面の光軸上での曲率半径、
Ｒ12Ｆは負レンズ成分C11の最も像側の面の光軸上での曲率半径である。
【００６５】
条件式（１２）を満足すると、ズーム全域に亘り非点収差やコマ収差の補正をより良くすることができる。条件式（１２）の上限を上回ると、非点収差やコマ収差の補正が不足しやすくなる。また、条件式（１２）の下限を下回ると、樽型の歪曲収差が大きくなりやすい。
【００６６】
なお、条件式（１２）に代えて、次の条件式（１２’）を満足すると、より好ましい。
−１．０＜（Ｒ11F＋Ｒ12Ｆ）／（Ｒ11F−Ｒ12Ｆ）＜１．０  …（１２’）
【００６７】
さらに、条件式（１２）に代えて、次の条件式（１２”）を満足すると、より一層好ましい。
−０．８＜（Ｒ11F＋Ｒ12Ｆ）／（Ｒ11F−Ｒ12Ｆ）＜０．５  …（１２”）
【００６８】
また、本実施形態の結像光学系は、以下の条件式（１３）を満足することも好ましい。
−０．９＜ｆ2／ｆ1＜−０．２５  …（１３）
ここで、
ｆ1は前記正レンズ群G1の焦点距離、
ｆ2は前記負レンズ群G2の焦点距離、である。
【００６９】
条件式（１３）を満足すると、ズーム全域に亘り非点収差やコマ収差の補正をより良くすることができる。
【００７０】
なお、条件式（１３）に代えて、次の条件式（１３’）を満足すると、より好ましい。
−０．８＜ｆ2／ｆ1＜−０．３５  …（１３’）
【００７１】
さらに、条件式（１３）に代えて、次の条件式（１３”）を満足すると、より一層好ましい。
−０．７＜ｆ2／ｆ1＜−０．４  …（１３”）
【００７２】
また、本実施形態の結像光学系は、以下の条件式（１４）を満足すると好ましい。
１．６０＜ｎ(12B)＜１．９０  …（１４）
ここで、ｎ(12B)は正レンズＬBのｄ線に対する屈折率である。
【００７３】
条件式（１４）を満足すると、望遠端における球面収差やコマ収差の補正をより良くすることができる。条件式（１４）の下限値を下回ると、望遠端における球面収差やコマ収差の補正が困難になる。また、そればかりでなく、条件式（１１b）も満足しにくくなる。条件式（１４）の上限値を上回ると、ペッツバール和の補正が困難になってくる。
【００７４】
ところで、本実施形態の結像光学系は、負の屈折力であるレンズ群G2と正の屈折力であるレンズ群G4を備えている。そして、本実施形態の結像光学系では、少なくともレンズ群G2のほかに、レンズ群G4を移動させることにより変倍が行なわれる。これは、レンズ群G1の肥大化を避けるためである。しかしながら、レンズ群G4では軸上光線高が高くなりやすいため、レンズ群G4は移動量の割に変倍時の収差変動を発生しやすい。
【００７５】
そのため、レンズ群G4については、正の屈折力を強めにくくなっている。そのため、全長の短縮化、あるいはペッツバール和の補正が行ないにくくなっている。そこで、本実施形態の結像光学系では、レンズ群G2とレンズ群G4の間に、正の屈折力を有するレンズ群G3を有している。
【００７６】
このレンズ群G3は、変倍時には、像面に対して概ね固定としている。このようにすることで、レンズ群G4に対する光線高を低く出来る。このようにすることで、さらに、レンズ群G4だけでなくレンズ群G2の屈折力（パワー）をアップしやすくなる。その結果、光学系の全長の短縮および高変倍率化が実現できる。
【００７７】
また、正レンズ成分C12は、正レンズＬBにレンズＬAを接合した複合レンズである。ここで、正レンズＬBはパワーの大半を担うレンズである。また、レンズＬAは光軸中心厚の薄いレンズとなっている。このような複合レンズの製法としては、レンズとレンズを接合させる方法ではなく、成形が適している。成形では、正レンズＬBの表面に樹脂を密着させ、この樹脂をレンズＬAとして形成し、その後樹脂を硬化させる。このようにすることで、複合レンズが実現できる。
【００７８】
この製法により、面形状、肉厚、偏心といった製造精度を向上させることができる。より具体的には、正レンズＬBに対してレンズＬAになる材料（例えばエネルギー硬化型透明樹脂など）を接触させて成形し、そのまま密着させている。
【００７９】
この方法は、レンズ要素の厚みを薄くしたり、接合面を非球面化したりするのに極めて有効な方法である。なお、エネルギー硬化型透明樹脂の例として、紫外線硬化型樹脂がある。また、正レンズＬBにはあらかじめコーティングなど表面処理がなされていてもかまわない。
【００８０】
また、正レンズＬBの表面に、レンズＬAとしてガラスを密着硬化させてもよい。ガラスは樹脂比べて、耐光性、耐薬品性等の耐性の面で有利である。この場合、レンズＬA用の材料の特性としては、第二のレンズ材料よりも融点、転移点が低いことが必要である。
【００８１】
複合レンズ製造方法としては成形がある。成形では、正レンズＬBに対してレンズＬA用の材料を接触させて、レンズＬA用の材料をレンズＬBに直接密着させる方法がある。この方法は、レンズ要素を薄くするのには極めて有効な方法である。なお、正レンズＬBにはあらかじめコーティングなど表面処理がなされていてもかまわない。
【００８２】
ところで、広い画角に亘ってコマ収差や非点収差を補正すると、広角側にて強い樽型の歪曲収差が発生する。逆に、樽型の歪曲収差を補正すると画角の大きな部分でのコマ収差や非点収差が悪化する。
【００８３】
そこで、以下、前記樽型歪曲収差の発生を積極的に利用して、より広画角を実現する方法について述べる。この方法を用いると、これまで述べてきた各条件式（１）〜（１４）を満足しやすくなる。
【００８４】
まず、ここで無限遠物体を歪曲収差がない光学系で結像したとする。この場合、結像した像に歪曲がないので、
ｆ＝ｙ／ｔａｎω  …（１５）
が成立する。
ここで、
ｙは像点の光軸からの高さ、
ｆは結像系の焦点距離、
ωは撮像面上の中心からｙの位置に結ぶ像点に対応する物点方向の光軸に対する角度である。
【００８５】
一方、光学系に樽型の歪曲収差がある場合は、
ｆ＞ｙ／ｔａｎω  …（１６）
となる。つまり、ｆとｙとを一定の値とするならば、ωは大きな値となる。
【００８６】
そこで、電子撮像装置には、特に広角端近傍の焦点距離において、意図的に大きな樽型の歪曲収差を有した光学系を用いるのが良い。この場合、歪曲収差を補正しなくて済む分だけ、光学系の広画角化が達成できる。
【００８７】
ただし、物体の像は、樽型の歪曲収差を有した状態で電子撮像素子上に結像する。そこで、電子撮像装置では、電子撮像素子で得られた画像データを、画像処理で加工するようにしている。この加工では、樽型の歪曲収差を補正するように、画像データ（画像の形状）を変化させる。
【００８８】
このようにすれば、最終的に得られた画像データは、物体とほぼ相似の形状を持つ画像データとなる。よって、この画像データに基づいて、物体の画像をＣＲＴやプリンターに出力すればよい。
【００８９】
そこで、結像光学系には、ほぼ無限遠物点合焦時に次の条件式（１７）を満足するものを採用するのがよい。
０．８５＜ｙ07／（ｆｗ・ｔａｎω07w）＜０．９７  …（１７）
ここで、
ｙ07は電子撮像素子の有効撮像面内（撮像可能な面内）で中心から最も遠い点までの距離（最大像高）をｙ10としたときｙ07＝０．７・ｙ10として表され、
ω07wは広角端における撮像面上の中心からｙ07の位置に結ぶ像点に対応する物点方向の光軸に対する角度である。
なお、fwは結像光学系（ズームレンズ）の広角端における全系の焦点距離である。
【００９０】
上記条件式（１７）はズーム広角端における樽型歪曲の度合いを規定したものである。
【００９１】
条件式（１７）を満足することで、光学系を肥大化させずに、広い画角の情報を取り込むことが可能となる。なお、樽型に歪んだ像は撮像素子にて光電変換されて、樽型に歪んだ画像データとなる。
【００９２】
樽型に歪んだ画像データは、電子撮像装置の信号処理系である画像処理手段にて、電気的に、像の形状変化に相当する加工が施される。このようにすれば、最終的に画像処理手段から出力された画像データを表示装置にて再生したとしても、歪曲が補正されて被写体形状にほぼ相似した画像が得られる。
【００９３】
ここで、条件式（１７）の上限値を上回る場合であって、特に、１に近い値をとると、歪曲収差が光学的に良く補正された画像が得られる。そのため、画像処理手段で行う補正が小さくてすむ。しかしながら、光学系の小型化を維持しながら、光学系を広画角化することが困難となる。
【００９４】
一方、条件式（１７）の下限値を下回ると、光学系の歪曲収差による画像歪みを画像処理手段で補正した場合に画角周辺部の放射方向への引き伸ばし率が高くなりすぎる。その結果、撮像で得た画像において、画像周辺部の鮮鋭度の劣化が目立つようになってしまう。
【００９５】
このように、条件式（１７）を満足することにより、光学系の小型化と広角化（歪曲込みの垂直方向の画角を３８°以上にする）とが可能となる。
なお、条件式（１７）に代えて、次の条件式（１７’）を満足すると、より好ましい。
０．８８＜ｙ07／（ｆｗ・ｔａｎω07w）＜０．９６  …（１７’）
【００９６】
さらに、条件式（１７）に代えて、次の条件式（２５”）を満足すると、より一層好ましい。
０．９０＜ｙ07／（ｆｗ・ｔａｎω07w）＜０．９５  …（１７”）
【００９７】
また、本実施形態の結像光学系は、レンズ群G4と最終レンズ群GRとの間にレンズ群G5を設けることが好ましい。そして、このレンズ群G5は負の屈折力を有し、変倍時に可動であるのが好ましい。
【００９８】
このようにすると、光学系の全長短縮に効果がある。また、レンズ郡G5を用いて合焦を行なうこともできる。
【００９９】
なお、本実施形態の結像光学系は、以下の条件式（１８）を満たすと良い。
０．３＜(−ｆ5)／（ｆw・ｆt）1/2＜１．６  …（１８）
ここで、
ｆ5はレンズ群G5の焦点距離、
ｆwは広角端における結像光学系の全系焦点距離（無限遠物点合焦時）、
ｆtは望遠端における結像光学系の全系焦点距離（無限遠物点合焦時）である。
【０１００】
条件式（１８）の上限を上回ると、光学系全長を短縮する効果が少ない。一方、条件式（１８）の下限を下回ると、収差補正、特に合焦時の収差変動の補正が困難となる。
【０１０１】
なお、条件式（１８）に代えて、次の条件式（１８’）を満足すると、より好ましい。
０．４＜(−ｆ5)／（ｆw・ｆt）1/2＜１．３  …（１８’）
【０１０２】
さらに、条件式（１８）に代えて、次の条件式（１８”）を満足すると、より一層好ましい。
０．５＜(−ｆ5)／（ｆw・ｆt）1/2＜１．０  …（１８”）
【０１０３】
また、本実施形態の結像光学系では、レンズ群G5の変倍時における動き方は、望遠端にてレンズ群G4に最も近づくようにすると良い。
【０１０４】
また、本実施形態の結像光学系では、最終レンズ群GRは物体側から6番目のレンズ群とし、正の屈折力を持たせるのが好ましい。このようにすると、収差補正がより良好に行える。
【０１０５】
また、本実施形態の電子撮像装置は、上述した結像光学系を含む電子撮像装置とすることが好ましい。上述した結像光学系は、色収差などを悪化させることなく光学系全長や沈胴厚を薄くすることが可能である。そのため、電子撮像装置にこのような結像光学系を用いると、高画質な画像を得られつつ薄型化された電子撮像装置を得ることができる。
【実施例】
【０１０６】
以下に、本発明にかかる結像光学系及び電子撮像装置の実施例を図面に基づいて詳細に説明する。なお、この実施例によりこの発明が限定されるものではない。
【０１０７】
次に、本発明の実施例１にかかる結像光学系結像光学系について説明する。図１は本発明の実施例１にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１０８】
図２は実施例１にかかる結像光学系結像光学系の無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１０９】
実施例１の結像光学系結像光学系は、図１に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。なお、以下全ての実施例において、レンズ断面図中、ＬＰＦはローパスフィルタ、ＣＧはカバーガラス、Ｉは電子撮像素子の撮像面を示している。
【０１１０】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。  
【０１１１】
第２レンズ群Ｇ２は、物体側より順に、両凹負レンズＬ５と、両凹負レンズＬ６と、両凸正レンズＬ７と、で構成されており、全体で負の屈折力を有している。
【０１１２】
第３レンズ群Ｇ３は、両凸正レンズＬ８で構成されており、全体で正の屈折力を有している。
【０１１３】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０１１４】
第５レンズ群Ｇ５は、物体側に凸面を向けた負メニスカスレンズＬ１２で構成されており、全体で負の屈折力を有している。
【０１１５】
第６レンズ群Ｇ６は、物体側より順に、両凸正レンズＬ１３と、両凹負レンズＬ１４と、で構成されており、全体で正の屈折力を有している。
【０１１６】
広角端から望遠端へと変倍する際には、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は物体側へ移動する。第６レンズ群Ｇ６は物体側へ移動した後に像側へ移動する。開口絞りＳは第３レンズ群Ｇ３とともに移動する。
【０１１７】
非球面は、第１レンズ群Ｇ１の両凹負レンズＬ１の両面及び接合レンズの３面と、第２レンズ群Ｇ２の像側の両凹負レンズＬ６の両面と、第４レンズ群Ｇ４の正メニスカスレンズＬ９の物体側の面及び両凸正レンズＬ１１の像側の面と、第６レンズ群Ｇ６の両凸正レンズＬ１３の物体側の面と、の１０面に設けられている。
【０１１８】
次に、本発明の実施例２にかかる結像光学系結像光学系について説明する。図３は本発明の実施例２にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１１９】
図４は実施例２にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１２０】
実施例２の結像光学系結像光学系は、図３に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１２１】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０１２２】
第２レンズ群Ｇ２は、物体側より順に、両凹負レンズＬ５と、両凹負レンズＬ６と、両凸正レンズＬ７と、で構成されており、全体で負の屈折力を有している。
【０１２３】
第３レンズ群Ｇ３は、両凸正レンズＬ８で構成されており、全体で正の屈折力を有している。
【０１２４】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０１２５】
第５レンズ群Ｇ５は、物体側に凸面を向けた負メニスカスレンズＬ１２で構成されており、全体で負の屈折力を有している。
【０１２６】
第６レンズ群Ｇ６は、物体側より順に、両凸正レンズＬ１３と、両凹負レンズＬ１４と、で構成されており、全体で正の屈折力を有している。
【０１２７】
広角端から望遠端へと変倍する際には、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０１２８】
非球面は、第１レンズ群Ｇ１の両凹負レンズＬ１の両面及び接合レンズの３面と、第２レンズ群Ｇ２の像側の両凹負レンズＬ６の両面と、第４レンズ群Ｇ４の正メニスカスレンズＬ９の物体側の面及び両凸正レンズＬ１１の像側の面と、第６レンズ群Ｇ６の両凸正レンズＬ１３の物体側の面と、の１０面に設けられている。
【０１２９】
次に、本発明の実施例３にかかる結像光学系結像光学系について説明する。図５は本発明の実施例３にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１３０】
図６は実施例３にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１３１】
実施例３の結像光学系結像光学系は、図５に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１３２】
第１レンズ群Ｇ１は、物体側より順に、両凹負レンズＬ１と、プリズムＬ２と、物体側に凸面を向けた負メニスカスレンズＬ３と両凸正レンズＬ４との接合レンズと、で構成されており、全体で正の屈折力を有している。ここで、物体側に凸面を向けた負メニスカスレンズＬ３がＬA、両凸正レンズＬ４がＬBである。
【０１３３】
第２レンズ群Ｇ２は、物体側より順に、物体側に凸面を向けた負メニスカスレンズＬ５と、両凹負レンズＬ６と、両凸正レンズＬ７と、で構成されており、全体で負の屈折力を有している。
【０１３４】
第３レンズ群Ｇ３は、両凸正レンズＬ８で構成されており、全体で正の屈折力を有している。
【０１３５】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０１３６】
第５レンズ群Ｇ５は、物体側に凸面を向けた負メニスカスレンズＬ１２で構成されており、全体で負の屈折力を有している。
【０１３７】
第６レンズ群Ｇ６は、物体側より順に、像側に凸面を向けた正メニスカスレンズＬ１３と、像側に凸面を向けた負メニスカスレンズＬ１４と、で構成されており、全体で正の屈折力を有している。
【０１３８】
広角端から望遠端へと変倍する際には、第１レンズ群Ｇ１は固定されている。第２レンズ群Ｇ２は像側へ移動する。第３レンズ群Ｇ３は像側へ移動する。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０１３９】
非球面は、第１レンズ群Ｇ１の両凹負レンズＬ１の両面及び接合レンズの３面と、第２レンズ群Ｇ２の両凹負レンズＬ６の両面と、第４レンズ群Ｇ４の正メニスカスレンズＬ９の物体側の面及び両凸正レンズＬ１１の像側の面と、第６レンズ群Ｇ６の正メニスカスレンズＬ１３の物体側の面と、の１０面に設けられている。
【０１４０】
次に、本発明の実施例４にかかる結像光学系結像光学系について説明する。図７は本発明の実施例４にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１４１】
図８は実施例４にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４２】
実施例４の結像光学系結像光学系は、図７に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１４３】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０１４４】
第２レンズ群Ｇ２は、物体側より順に、両凹負レンズＬ５と、両凹負レンズＬ６と、両凸正レンズＬ７と、で構成されており、全体で負の屈折力を有している。
【０１４５】
第３レンズ群Ｇ３は、両凸正レンズＬ８で構成されており、全体で正の屈折力を有している。
【０１４６】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０１４７】
第５レンズ群Ｇ５は、物体側に凸面を向けた負メニスカスレンズＬ１２で構成されており、全体で負の屈折力を有している。
【０１４８】
第６レンズ群Ｇ６は、物体側より順に、両凸正レンズＬ１３と、像側に凸面を向けた負メニスカスレンズＬ１４と、で構成されており、全体で負の屈折力を有している。
【０１４９】
広角端から望遠端へと変倍する際には、第１レンズ群Ｇ１は固定されている。第２レンズ群Ｇ２は像側へ移動する。第３レンズ群Ｇ３は像側へ移動する。第４レンズ群Ｇ４は物体側へ移動する。第５レンズ群Ｇ５は物体側へ移動する。第６レンズ群Ｇ６は物体側へ移動した後に像側へ移動する。開口絞りＳは第３レンズ群Ｇ３とともに移動する。
【０１５０】
非球面は、第１レンズ群Ｇ１の両凹負レンズＬ１の両面及び接合レンズの３面と、第２レンズ群Ｇ２の像側の両凹負レンズＬ６の両面と、第４レンズ群Ｇ４の正メニスカスレンズＬ９の物体側の面及び両凸正レンズＬ１１の像側の面と、第６レンズ群Ｇ６の負メニスカスレンズＬ１４の像側の面と、の１０面に設けられている。
【０１５１】
次に、本発明の実施例５にかかる結像光学系結像光学系について説明する。図９は本発明の実施例５にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１５２】
図１０は実施例５にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１５３】
実施例５の結像光学系結像光学系は、図９に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１５４】
第１レンズ群Ｇ１は、物体側より順に、両凹負レンズＬ１と、プリズムＬ２と、両凸正レンズＬ３と像側に凸面を向けた正メニスカスレンズＬ４との接合レンズと、で構成されており、全体で正の屈折力を有している。ここで、両凸正レンズＬ３がＬB、像側に凸面を向けた正メニスカスレンズＬ４がＬAである。
【０１５５】
第２レンズ群Ｇ２は、物体側より順に、両凹負レンズＬ５と、両凹負レンズＬ６と、両凸正レンズＬ７と、で構成されており、全体で負の屈折力を有している。
【０１５６】
第３レンズ群Ｇ３は、両凸正レンズＬ８で構成されており、全体で正の屈折力を有している。
【０１５７】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０１５８】
第５レンズ群Ｇ５は、物体側に凸面を向けた負メニスカスレンズＬ１２で構成されており、全体で負の屈折力を有している。
【０１５９】
第６レンズ群Ｇ６は、物体側より順に、両凸正レンズＬ１３と、像側に凸面を向けた負メニスカスレンズＬ１４と、で構成されており、全体で正の屈折力を有している。
【０１６０】
広角端から望遠端へと変倍する際には、第１レンズ群Ｇ１は固定されている。第２レンズ群Ｇ２は像側へ移動する。第３レンズ群Ｇ３は物体側へ移動する。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０１６１】
非球面は、第１レンズ群Ｇ１の両凹負レンズＬ１の両面及び接合レンズの３面と、第２レンズ群Ｇ２の像側の両凹負レンズＬ６の両面と、第４レンズ群Ｇ４の正メニスカスレンズＬ９の物体側の面及び両凸正レンズＬ１１の像側の面と、第６レンズ群Ｇ６の負メニスカスレンズＬ１４の像側の面と、の１０面に設けられている。
【０１６２】
次に、本発明の実施例６にかかる結像光学系結像光学系について説明する。図１１は本発明の実施例６にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１６３】
図１２は実施例６にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１６４】
実施例６の結像光学系結像光学系は、図１１に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１６５】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０１６６】
第２レンズ群Ｇ２は、物体側より順に、両凹負レンズＬ５と、両凹負レンズＬ６と、両凸正レンズＬ７と、で構成されており、全体で負の屈折力を有している。
【０１６７】
第３レンズ群Ｇ３は、両凸正レンズＬ８で構成されており、全体で正の屈折力を有している。
【０１６８】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０１６９】
第５レンズ群Ｇ５は、物体側に凸面を向けた負メニスカスレンズＬ１２で構成されており、全体で負の屈折力を有している。
【０１７０】
第６レンズ群Ｇ６は、物体側より順に、両凸正レンズＬ１３と、像側に凸面を向けた負メニスカスレンズＬ１４と、で構成されており、全体で正の屈折力を有している。
【０１７１】
広角端から望遠端へと変倍する際には、第１レンズ群Ｇ１は固定されている。第２レンズ群Ｇ２は像側へ移動する。第３レンズ群Ｇ３は物体側へ移動する。第４レンズ群Ｇ４は物体側へ移動する。第５レンズ群Ｇ５は物体側へ移動する。第６レンズ群Ｇ６は物体側へ移動した後に像側へ移動する。開口絞りＳは第３レンズ群Ｇ３とともに移動する。
【０１７２】
非球面は、第１レンズ群Ｇ１の接合レンズの３面と、第２レンズ群Ｇ２の２つの両凹負レンズＬ５、Ｌ６のそれぞれの両面と、第４レンズ群Ｇ４の正メニスカスレンズＬ９の物体側の面及び両凸正レンズＬ１１の像側の面と、第６レンズ群Ｇ６の負メニスカスレンズＬ１４の像側の面と、の１０面に設けられている。
【０１７３】
次に、本発明の実施例７にかかる結像光学系結像光学系について説明する。図１３は本発明の実施例７にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１７４】
図１４は実施例７にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１７５】
実施例７の結像光学系結像光学系は、図１３に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１７６】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０１７７】
第２レンズ群Ｇ２は、物体側より順に、両凹負レンズＬ５と、像側に凸面を向けた正メニスカスレンズＬ６と両凹負レンズＬ７との接合レンズと、で構成されており、全体で負の屈折力を有している。
【０１７８】
第３レンズ群Ｇ３は、物体側に凸面を向けた正メニスカスレンズＬ８で構成されており、全体で正の屈折力を有している。
【０１７９】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０１８０】
第５レンズ群Ｇ５は、物体側に凸面を向けた負メニスカスレンズＬ１２で構成されており、全体で負の屈折力を有している。
【０１８１】
第６レンズ群Ｇ６は、物体側より順に、両凸正レンズＬ１３と、両凹負レンズＬ１４と、で構成されており、全体で正の屈折力を有している。
【０１８２】
広角端から望遠端へと変倍する際には、第１レンズ群Ｇ１は固定されている。第２レンズ群Ｇ２は像側へ移動する。第３レンズ群Ｇ３は物体側へ移動した後に像側へ移動する。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０１８３】
非球面は、第１レンズ群Ｇ１の接合レンズの３面と、第２レンズ群Ｇ２の物体側の両凹負レンズＬ５の両面及び像側の両凹負レンズＬ７の像側の面と、第４レンズ群Ｇ４の正メニスカスレンズＬ９の物体側の面及び両凸正レンズＬ１１の像側の面と、の８面に設けられている。
【０１８４】
次に、本発明の実施例８にかかる結像光学系結像光学系について説明する。図１５は本発明の実施例８にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１８５】
図１６は実施例８にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１８６】
実施例８の結像光学系結像光学系は、図１５に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１８７】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０１８８】
第２レンズ群Ｇ２は、物体側より順に、物体側に凸面を向けた負メニスカスレンズＬ５と、両凹負レンズＬ６と、両凸正レンズＬ７と、で構成されており、全体で負の屈折力を有している。
【０１８９】
第３レンズ群Ｇ３は、両凸正レンズＬ８で構成されており、全体で正の屈折力を有している。
【０１９０】
第４レンズ群Ｇ４は、物体側より順に、両凸正レンズＬ９と両凹負レンズＬ１０との接合レンズと、両凸正レンズＬ１１と、で構成されており、全体で正の屈折力を有している。
【０１９１】
第５レンズ群Ｇ５は、物体側に凸面を向けた負メニスカスレンズＬ１２で構成されており、全体で負の屈折力を有している。
【０１９２】
第６レンズ群Ｇ６は、物体側より順に、像側に凸面を向けた正メニスカスレンズＬ１３と、像側に凸面を向けた負メニスカスレンズＬ１４と、で構成されており、全体で正の屈折力を有している。
【０１９３】
広角端から望遠端へと変倍する際には、第１レンズ群Ｇ１は固定されている。第２レンズ群Ｇ２は像側へ移動する。第３レンズ群Ｇ３は像側へ移動した後に物体側へ移動する。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０１９４】
非球面は、第１レンズ群Ｇ１の両凹負レンズＬ１の両面及び接合レンズの３面と、第２レンズ群Ｇ２の両凹負レンズＬ６の両面と、第４レンズ群Ｇ４の物体側の両凸正レンズＬ９の物体側の面及び像側の両凸正レンズＬ１１の両面と、第６レンズ群Ｇ６の負メニスカスレンズＬ１４の物体側の面と、の１１面に設けられている。
【０１９５】
次に、本発明の実施例９にかかる結像光学系結像光学系について説明する。図１７は本発明の実施例９にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０１９６】
図１８は実施例９にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１９７】
実施例９の結像光学系結像光学系は、図１７に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０１９８】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０１９９】
第２レンズ群Ｇ２は、物体側より順に、物体側に凸面を向けた負メニスカスレンズＬ５と、両凹負レンズＬ６と、両凸正レンズＬ７と、で構成されており、全体で負の屈折力を有している。
【０２００】
第３レンズ群Ｇ３は、両凸正レンズＬ８で構成されており、全体で正の屈折力を有している。
【０２０１】
第４レンズ群Ｇ４は、物体側より順に、両凸正レンズＬ９と両凹負レンズＬ１０との接合レンズと、両凸正レンズＬ１１と、両凸正レンズＬ１２と、で構成されており、全体で正の屈折力を有している。
【０２０２】
第５レンズ群Ｇ５は、両凹負レンズＬ１３で構成されており、全体で負の屈折力を有している。
【０２０３】
第６レンズ群Ｇ６は、像側に凸面を向けた正メニスカスレンズＬ１４で構成されており、全体で正の屈折力を有している。
【０２０４】
広角端から望遠端へと変倍する際には、第１レンズ群Ｇ１は固定されている。第２レンズ群Ｇ２は像側へ移動する。第３レンズ群Ｇ３は像側へ移動した後に物体側へ移動する。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０２０５】
非球面は、第１レンズ群Ｇ１の両凹負レンズＬ１の両面及び接合レンズの３面と、第２レンズ群Ｇ２の両凹負レンズＬ６の両面と、第４レンズ群Ｇ４の最も物体側の両凸正レンズＬ９の物体側の面及び最も像側の両凸正レンズＬ１２の両面と、の１０面に設けられている。
【０２０６】
次に、本発明の実施例１０にかかる結像光学系結像光学系について説明する。図１９は本発明の実施例１０にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０２０７】
図２０は実施例１０にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２０８】
実施例１０の結像光学系結像光学系は、図１９に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０２０９】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０２１０】
第２レンズ群Ｇ２は、物体側より順に、両凹負レンズＬ５と、両凹負レンズＬ６と、物体側に凸面を向けた正メニスカスレンズＬ７と、で構成されており、全体で負の屈折力を有している。
【０２１１】
第３レンズ群Ｇ３は、両凸正レンズＬ８で構成されており、全体で正の屈折力を有している。
【０２１２】
第４レンズ群Ｇ４は、物体側より順に、両凸正レンズＬ９と両凹負レンズＬ１０との接合レンズと、両凸正レンズＬ１１と、像側に凸面を向けた正メニスカスレンズＬ１２と、で構成されており、全体で正の屈折力を有している。
【０２１３】
第５レンズ群Ｇ５は、両凹負レンズＬ１３で構成されており、全体で負の屈折力を有している。
【０２１４】
第６レンズ群Ｇ６は、両凸正レンズＬ１４で構成されており、全体で正の屈折力を有している。
【０２１５】
広角端から望遠端へと変倍する際には、第１レンズ群Ｇ１は固定されている。第２レンズ群Ｇ２は像側へ移動する。第３レンズ群Ｇ３は像側へ移動した後に物体側へ移動する。第４レンズ群Ｇ４は物体側へ移動する。第５レンズ群Ｇ５は物体側へ移動する。第６レンズ群Ｇ６は物体側へ移動した後に像側へ移動する。開口絞りＳは第３レンズ群Ｇ３とともに移動する。
【０２１６】
非球面は、第１レンズ群Ｇ１の接合レンズの３面と、第２レンズ群Ｇ２の両凹負レンズＬ５、Ｌ６それぞれの両面と、第４レンズ群Ｇ４の物体側の両凸正レンズＬ９の物体側の面及び正メニスカスレンズＬ１２の両面と、の１０面に設けられている。
【０２１７】
次に、本発明の実施例１１にかかる結像光学系結像光学系について説明する。図２１は本発明の実施例１１にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０２１８】
図２２は実施例１１にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２１９】
実施例１１の結像光学系結像光学系は、図２１に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０２２０】
第１レンズ群Ｇ１は、物体側より順に、両凹負レンズＬ１と、プリズムＬ２と、両凸正レンズＬ３と、物体側に凸面を向けた正メニスカスレンズＬ４と両凸正レンズＬ５との接合レンズと、で構成されており、全体で正の屈折力を有している。ここで、物体側に凸面を向けた正メニスカスレンズＬ４がＬA、両凸正レンズＬ５がＬBである。
【０２２１】
第２レンズ群Ｇ２は、物体側より順に、両凹負レンズＬ６と、両凹負レンズＬ７と、両凸正レンズＬ８と、で構成されており、全体で負の屈折力を有している。
【０２２２】
第３レンズ群Ｇ３は、両凸正レンズＬ９で構成されており、全体で正の屈折力を有している。
【０２２３】
第４レンズ群Ｇ４は、物体側より順に、両凸正レンズＬ１０と両凹負レンズＬ１１と両凸正レンズＬ１２との接合レンズで構成されており、全体で正の屈折力を有している。
【０２２４】
第５レンズ群Ｇ５は、物体側に凸面を向けた負メニスカスレンズＬ１３で構成されており、全体で負の屈折力を有している。
【０２２５】
第６レンズ群Ｇ６は、像側に凸面を向けた正メニスカスレンズＬ１４と、像側に凸面を向けた負メニスカスレンズＬ１５と、で構成されており、全体で正の屈折力を有している。
【０２２６】
広角端から望遠端へと変倍する際には、第１レンズ群Ｇ１は固定されている。第２レンズ群Ｇ２は像側へ移動する。第３レンズ群Ｇ３は物体側へ移動した後に像側へ移動する。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０２２７】
非球面は、第１レンズ群Ｇ１の接合レンズの３面と、第２レンズ群Ｇ２の両凹負レンズＬ６、Ｌ７それぞれの両面と、第４レンズ群Ｇ４の物体側の両凸正レンズＬ１０の物体側の面と、及び、像側の両凸正レンズＬ１２の像側の面と、第６レンズ群Ｇ６の負メニスカスレンズＬ１５の物体側の面の１０面に設けられている。
【０２２８】
次に、本発明の実施例１２にかかる結像光学系結像光学系について説明する。図２３は本発明の実施例１２にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０２２９】
図２４は実施例１２にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２３０】
実施例１２の結像光学系結像光学系は、図２３に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、第６レンズ群Ｇ６と、を有している。
【０２３１】
第１レンズ群Ｇ１は、物体側より順に、両凹負レンズＬ１と、プリズムＬ２と、物体側に凸面を向けた負メニスカスレンズＬ３と両凸正レンズＬ４との接合レンズと、で構成されており、全体で正の屈折力を有している。ここで、物体側に凸面を向けた負メニスカスレンズＬ３がＬA、両凸正レンズＬ４がＬBである。
【０２３２】
第２レンズ群Ｇ２は、物体側より順に、物体側に凸面を向けた負メニスカスレンズＬ５と、両凹負レンズＬ６と、両凸正レンズＬ７と、で構成されており、全体で負の屈折力を有している。
【０２３３】
第３レンズ群Ｇ３は、両凸正レンズＬ８で構成されており、全体で正の屈折力を有している。
【０２３４】
第４レンズ群Ｇ４は、物体側より順に、物体側に凸面を向けた正メニスカスレンズＬ９と物体側に凸面を向けた負メニスカスレンズＬ１０と両凸正レンズＬ１１との接合レンズで構成されており、全体で正の屈折力を有している。
【０２３５】
第５レンズ群Ｇ５は、物体側に凸面を向けた負メニスカスレンズＬ１２で構成されており、全体で負の屈折力を有している。
【０２３６】
第６レンズ群Ｇ６は、物体側より順に、像側に凸面を向けた正メニスカスレンズＬ１３と、像側に凸面を向けた負メニスカスレンズＬ１４と、で構成されており、全体で正の屈折力を有している。
【０２３７】
広角端から望遠端へと変倍する際には、第１レンズ群Ｇ１は固定されている。第２レンズ群Ｇ２は像側へ移動する。第３レンズ群Ｇ３は像側へ移動する。第４レンズ群Ｇ４は物体側へ移動する。第５レンズ群Ｇ５は物体側へ移動する。第６レンズ群Ｇ６は像側へ移動した後に物体側へ移動する。開口絞りＳは第３レンズ群Ｇ３とともに移動する。
【０２３８】
非球面は、第１レンズ群Ｇ１の両凹負レンズＬ１の両面及び接合レンズの３面と、第２レンズ群Ｇ２の両凹負レンズＬ６の両面と、第４レンズ群Ｇ４の正メニスカスレンズＬ９の物体側の面及び両凸正レンズＬ１１の像側の面と、第６レンズ群Ｇ６の正メニスカスレンズＬ１３の物体側の面と、の１０面に設けられている。
【０２３９】
次に、本発明の実施例１３にかかる結像光学系結像光学系について説明する。図２５は本発明の実施例１３にかかる結像光学系結像光学系の無限遠物点合焦時の光学構成を示す光軸に沿う断面図であり、（ａ）は広角端、（ｂ）は中間焦点距離状態、（ｃ）は望遠端での断面図である。
【０２４０】
図２６は実施例１３にかかる結像光学系結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２４１】
実施例１３の結像光学系は、図２５に示すように、物体側より順に、第１レンズ群Ｇ１と、第２レンズ群Ｇ２と、開口絞り（明るさ絞り）Ｓと、第３レンズ群Ｇ３と、第４レンズ群Ｇ４と、第５レンズ群Ｇ５と、を有している。
【０２４２】
第１レンズ群Ｇ１は、物体側より順に、両凹負レンズＬ１と、プリズムＬ２と、物体側に凸面を向けた正メニスカスレンズＬ３と両凸正レンズＬ４との接合レンズと、で構成されており、全体で正の屈折力を有している。ここで、物体側に凸面を向けた正メニスカスレンズＬ３がＬA、両凸正レンズＬ４がＬBである。
【０２４３】
第２レンズ群Ｇ２は、物体側より順に、両凹負レンズＬ５と、両凹負レンズＬ６と、両凸正レンズＬ７と、で構成されており、全体で負の屈折力を有している。
【０２４４】
第３レンズ群Ｇ３は、物体側より順に、物体側に凸面を向けた正メニスカスレンズＬ８と物体側に凸面を向けた負メニスカスレンズＬ９と両凸正レンズＬ１０との接合レンズで構成されており、全体で正の屈折力を有している。
【０２４５】
第４レンズ群Ｇ４は、物体側に凸面を向けた負メニスカスレンズＬ１１で構成されており、全体で負の屈折力を有している。
【０２４６】
第５レンズ群Ｇ５は、物体側より順に、両凸正レンズＬ１２と、両凹負レンズＬ１３と、で構成されており、全体で正の屈折力を有している。
【０２４７】
広角端から望遠端へと変倍する際には、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は物体側へ移動した後に像側へ移動する。開口絞りＳは固定されている。
【０２４８】
非球面は、第１レンズ群Ｇ１の両凹負レンズＬ１の両面及び接合レンズの３面と、第２レンズ群Ｇ２の像側の両凹負レンズＬ６の両面と、第３レンズ群Ｇ３の正メニスカスレンズＬ８の物体側の面及び両凸正レンズＬ１０の像側の面と、第５レンズ群Ｇ５の両凹負レンズＬ１３の物体側の面と、の１０面に設けられている。
【０２４９】
次に、本発明の実施例１４にかかる結像光学系について説明する。図２７は本発明の実施例１４にかかる結像光学系の無限遠物点合焦時の光学構成を示す光軸に沿う断面図であり、（ａ）は広角端、（ｂ）は中間焦点距離状態、（ｃ）は望遠端での断面図である。
【０２５０】
図２８は実施例１４にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２５１】
実施例１４の結像光学系は、図２７に示すように、物体側より順に、第１レンズ群Ｇ１と、第２レンズ群Ｇ２と、開口絞り（明るさ絞り）Ｓと、第３レンズ群Ｇ３と、第４レンズ群Ｇ４と、第５レンズ群Ｇ５と、を有している。
【０２５２】
第１レンズ群Ｇ１は、物体側より順に、物体側に凸面を向けた負メニスカスレンズＬ１と、プリズムＬ２と、両凸正レンズＬ３と像側に凸面を向けた負メニスカスレンズＬ４との接合レンズと、で構成されており、全体で正の屈折力を有している。ここで、両凸正レンズＬ３がＬA、像側に凸面を向けた負メニスカスレンズＬ４がＬBである。
【０２５３】
第２レンズ群Ｇ２は、物体側より順に、両凹負レンズＬ５と、像側に凸面を向けた正メニスカスレンズＬ６と両凹負レンズＬ７との接合レンズと、で構成されており、全体で負の屈折力を有している。
【０２５４】
第３レンズ群Ｇ３は、物体側より順に、両凸正レンズＬ８と、物体側に凸面を向けた正メニスカスレンズＬ９と物体側に凸面を向けた負メニスカスレンズＬ１０と両凸正レンズＬ１１との接合レンズと、で構成されており、全体で正の屈折力を有している。
【０２５５】
第４レンズ群Ｇ４は、物体側に凸面を向けた負メニスカスレンズＬ１２で構成されており、全体で負の屈折力を有している。
【０２５６】
第５レンズ群Ｇ５は、物体側より順に、両凸正レンズＬ１３と、像側に平面を向けた平凹レンズＬ１４と、で構成されており、全体で正の屈折力を有している。
【０２５７】
広角端から望遠端へと変倍する際には、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は像側へ移動した後に物体側へ移動する。開口絞りＳは固定されている。
【０２５８】
非球面は、第１レンズ群Ｇ１の接合レンズの３面と、第２レンズ群Ｇ２の物体側の両凹負レンズＬ５の両面と、第３レンズ群Ｇ３の物体側の両凸正レンズＬ８の物体側の面と、の６面に設けられている。
【０２５９】
次に、本発明の実施例１５にかかる結像光学系について説明する。図２９は本発明の実施例１５にかかる結像光学系の無限遠物点合焦時の光学構成を示す光軸に沿う断面図であり、（ａ）は広角端、（ｂ）は中間焦点距離状態、（ｃ）は望遠端での断面図である。
【０２６０】
図３０は実施例１５にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２６１】
実施例１５の結像光学系は、図２９に示すように、物体側より順に、第１レンズ群Ｇ１と、第２レンズ群Ｇ２と、第３レンズ群Ｇ３と、開口絞り（明るさ絞り）Ｓと、第４レンズ群Ｇ４と、第５レンズ群Ｇ５と、を有している。
【０２６２】
第１レンズ群Ｇ１は、物体側より順に、両凹負レンズＬ１と、プリズムＬ２と、物体側に凸面を向けた負メニスカスレンズＬ３と両凸正レンズＬ４との接合レンズと、で構成されており、全体で正の屈折力を有している。ここで、物体側に凸面を向けた負メニスカスレンズＬ３がＬA、両凸正レンズＬ４がＬBである。
【０２６３】
第２レンズ群Ｇ２は、物体側より順に、物体側に凸面を向けた負メニスカスレンズＬ５と、両凹負レンズＬ６と、物体側に凸面を向けた正メニスカスレンズＬ７と、で構成されており、全体で負の屈折力を有している。
【０２６４】
第３レンズ群Ｇ３は、両凸正レンズＬ８で構成されており、全体で正の屈折力を有している。
【０２６５】
第４レンズ群Ｇ４は、両凸正レンズＬ９と、両凸正レンズＬ１０と両凹負レンズＬ１１との接合レンズで構成されており、全体で正の屈折力を有している。
【０２６６】
第５レンズ群Ｇ５は、物体側より順に、物体側に凸面を向けた負メニスカスレンズＬ１２と両凸正レンズＬ１３との接合レンズで構成されており、全体で正の屈折力を有している。
【０２６７】
広角端から望遠端へと変倍する際には、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は物体側へ移動した後に像側へ移動する。開口絞りＳは固定されている。
【０２６８】
非球面は、第１レンズ群Ｇ１の接合レンズの３面と、第２レンズ群Ｇ２の負メニスカスレンズＬ５の両面及び両凹負レンズＬ６の物体側の面と、第４レンズ群Ｇ４の両凸正レンズＬ９の両面と、の８面に設けられている。
【０２６９】
次に、上記各実施例の結像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、aspは非球面、STOは絞りをそれぞれ示している。
【０２７０】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10  …（Ｉ）
また、Ｅは１０のべき乗を表している。なお、これら諸元値の記号は後述の実施例の数値データにおいても共通である。
【０２７１】
数値実施例１
単位 mm
面データ
面番号        r            d           nd        νd      ER
物面         ∞           ∞        1.
1*      -32.6521       1.0000     2.00170    20.60    7.805
2*       33.9035       1.3000     1.                  6.925
3         ∞           9.0000     1.90366    31.32    6.910
4         ∞           0.2000     1.                  5.889
5*       10.8525       0.1000     1.63387    23.38    5.565
6*       11.3989       3.6000     1.74320    49.34    5.521
7*      -23.0729       可変       1.                  6.300
8      -451.6348       0.5000     1.88300    40.76    4.068
9         5.0359       2.5000     1.                  3.327
10*      -22.4196       0.6000     1.53071    55.69    3.255
11*       14.0260       0.1500     1.                  3.242
12        16.5959       1.4000     1.92286    20.88    3.256
13       -38.5440       可変       1.                  3.200
14        16.0591       1.1000     1.58313    59.38    2.087
15       -50.5355       0.7000     1.                  1.988
16(絞り)    ∞          可変       1.                  1.842
17*       11.6839       1.3000     1.51633    64.14    2.300
18        45.3576       0.5000     1.92286    20.88    2.418
19        10.7833       3.0000     1.51633    64.14    2.467
20*       -6.4303       可変       1.                  2.787
21        16.0748       0.6000     1.77250    49.60    2.744
22         5.0769       可変       1.                  2.655
23*        8.7974       3.5000     1.58313    59.38    4.500
24        -8.6693       0.1500     1.                  3.483
25       -10.9471       0.5000     1.94595    17.98    3.411
26        30.7393       可変       1.                  3.478
27          ∞          0.8000     1.51633    64.14    3.648
28          ∞          0.3945     1.                  3.763
像面        ∞
第１面
K=4.0465,A2=0.0000E+00,A4=3.3325E-04,A6=-2.0268E-06,A8=-5.4395E-10,
A10=3.8059E-11
第２面
K=-38.7269,A2=0.0000E+00,A4=3.1690E-04,A6=2.8143E-07,A8=-2.8627E-08,
A10=3.0749E-10
第３面
K=-0.1834,A2=0.0000E+00,A4=-2.6165E-04,A6=6.3159E-07,A8=-1.1794E-08,
A10=5.8263E-11
第６面
K=-0.3231,A2=0.0000E+00,A4=-1.0480E-04,A6=2.3933E-06,A8=-6.1738E-08,
A10=4.4829E-10
第７面
K=0.,A2=0.0000E+00,A4=-2.2903E-05,A6=-5.9746E-09,A8=-1.4840E-09,A10=1.9413E-11
第１０面
K=7.4926,A2=0.0000E+00,A4=-1.8105E-03,A6=2.0384E-04,A8=-3.8436E-06,
A10=-5.9774E-08
第１１面
K=-9.9049,A2=0.0000E+00,A4=-2.0129E-03,A6=2.3564E-04,A8=-9.7822E-06,
A10=9.4023E-08
第１７面
K=0.1863,A2=0.0000E+00,A4=-9.2569E-04,A6=4.5473E-06,A8=-6.4926E-06,
A10=3.3061E-07
第２０面
K=0,A2=0.0000E+00,A4=2.8946E-04,A6=5.2420E-06,A8=-4.1079E-06,A10=1.5900E-07
第２３面
K=0,A2=0.0000E+00,A4=4.7272E-04,A6=-4.5644E-06,A8=7.6118E-07,A10=-4.5742E-08
〔硝材屈折率テーブル〕・・・ 本実施例にて使用した媒質の波長別屈折率一覧
GLA           587.56     656.27     486.13     435.84     404.66
L7,L10        1.922860   1.910380   1.954570   1.982810   2.009190
L6            1.530710   1.527870   1.537400   1.542740   1.547272
L14           1.945950   1.931230   1.983830   2.018254   2.051060
L1            2.001700   1.988000   2.036520   2.067256   2.095660
L3            1.633870   1.626381   1.653490   1.671610   1.688826
L8,L13        1.583126   1.580139   1.589960   1.595296   1.599721
L9,L11        1.516330   1.513855   1.521905   1.526213   1.529768
CG            1.516330   1.513855   1.521905   1.526213   1.529768
L5            1.882997   1.876560   1.898221   1.910495   1.920919
L12           1.772499   1.767798   1.783374   1.791971   1.799174
L4            1.743198   1.738653   1.753716   1.762046   1.769040
L2            1.903660   1.895260   1.924120   1.941280   1.956430
各種データ
ズーム比    4.82
広角        中間        望遠
焦点距離        5.18268    11.18000    25.00000
Ｆナンバー      4.0561      4.5778      4.9000
画角(ω)       40.1        18.8         8.9
像高            3.84        3.84        3.84
レンズ全長     54.1930     54.1930     54.1930
ＢＦ            0.39446     0.39446     0.39446
d7              0.31921     5.11800     9.10136
d13             9.01627     4.21748     0.23411
d16             4.98347     3.04833     0.98486
d20             4.12457     3.55628     0.93539
d22             1.88744     4.39087     9.07524
d26             0.96761     0.96761     0.96761
ズームレンズ群データ
群    始面      焦点距離
1      1       13.05174
2      8       -7.06780
3     14       21.02653
4     17       11.04954
5     21       -9.83991
6     23       38.08060
各面の非球面量
第５面
Y            ASP            SPH           ΔｚA(h)
4.858        0.99519        1.14804        -0.15284
第６面
Y            ASP            SPH           ΔｚC(h)
4.858        1.02635        1.08703        -0.06067
第７面
Y            ASP            SPH           ΔｚB(h)
4.858       -0.53038       -0.51722        -0.01315
【０２７２】
数値実施例２
単位 mm
面データ
面番号       r            d           nd        νd      ER
物面         ∞           ∞        1.
1*      -47.4775       1.0000      2.14352     17.77    7.830
2*       36.4969       1.5000      1.                   6.969
3           ∞         9.0000      1.90366     31.32    6.921
4           ∞         0.2000      1.                   5.810
5*       10.9155       0.2000      1.63387     23.38    5.470
6*       13.6477       3.6000      1.74320     49.34    5.457
7*      -23.6428       可変        1.                   6.300
8      -189.1345       0.5000      1.88300     40.76    3.996
9         4.9178       2.1000      1.                   3.267
10*      -22.7221       0.6000      1.53071     55.69    3.236
11*       13.9247       0.1500      1.                   3.255
12        16.5962       1.4000      1.92286     20.88    3.271
13       -35.0407       可変        1.                   3.200
14        14.5194       1.1000      1.58313     59.38    2.091
15       -54.5846       0.7000      1.                   1.988
16(絞り)     ∞         可変        1.                   1.842
17*       12.7465       1.3000      1.51633     64.14    2.300
18        45.7683       0.5000      1.92286     20.88    2.452
19        10.6530       3.0000      1.51633     64.14    2.508
20*       -6.2171       可変        1.                   2.843
21        16.0761       0.6000      1.77250     49.60    2.799
22         5.2046       可変        1.                   2.708
23*        8.5607       3.5000      1.58313     59.38    4.500
24        -8.8408       0.1500      1.                   3.498
25       -11.0334       0.5000      1.94595     17.98    3.424
26        28.8271       可変        1.                   3.486
27          ∞          0.8000      1.51633     64.14    3.648
28          ∞          0.3801      1.                   3.762
像面        ∞
第１面
K=4.0464,A2=0.0000E+00,A4=3.6986E-04,A6=-2.9719E-06,A8=5.2164E-09,A10=3.5061E-11
第２面
K=-38.7277,A2=0.0000E+00,A4=3.6215E-04,A6=1.2036E-07,A8=-3.5988E-08,
A10=3.9703E-10
第５面
K=-0.1836, A2=0.0000E+00,A4=-2.6510E-04,A6=3.6709E-08,A8=5.1588E-09,
A10=-9.0441E-11
第６面
K=-0.3231, A2=0.0000E+00,A4=-1.6127E-04,A6=6.8016E-06,A8=-1.7014E-07,
A10=1.4673E-09
第７面
K=0, A2=0.0000E+00,A4=-5.4748E-05,A6=2.2591E-07,A8=-2.5777E-09,A10=2.5220E-11
第１０面
K=7.4919, A2=0.0000E+00,A4=-9.5505E-04,A6=1.3257E-04,A8=-2.9116E-06,
A10=-1.3317E-07
第１１面
K=-9.9042, A2=0.0000E+00,A4=-1.2942E-03,A6=1.5299E-04,A8=-9.6610E-06,
A10=1.3185E-07
第１７面
K=0.1842, A2=0.0000E+00,A4=-1.1140E-03,A6=3.4768E-05,A8=-1.1998E-05,
A10=5.9349E-07
第２０面
K=0, A2=0.0000E+00,A4=1.1696E-04,A6=2.2823E-05,A8=-4.6581E-06,A10=1.2619E-07
第２３面
K=0, A2=0.0000E+00,A4=1.6937E-04,A6=1.0078E-05,A8=7.1170E-07,A10=-4.8288E-08
〔硝材屈折率テーブル〕・・・ 本実施例にて使用した媒質の波長別屈折率一覧
GLA             587.56     656.27     486.13     435.84     404.66
L7,L10          1.922860   1.910380   1.954570   1.982810   2.009190
L6              1.530710   1.527870   1.537400   1.542740   1.547272
L14             1.945950   1.931230   1.983830   2.018254   2.051060
L1              2.143520   2.125601   2.189954   2.232324   2.273184
L3              1.633870   1.626381   1.653490   1.671610   1.688826
L8,L13          1.583126   1.580139   1.589960   1.595296   1.599721
L9,L11          1.516330   1.513855   1.521905   1.526213   1.529768
CG              1.516330   1.513855   1.521905   1.526213   1.529768
L5              1.882997   1.876560   1.898221   1.910495   1.920919
L12             1.772499   1.767798   1.783374   1.791971   1.799174
L4              1.743198   1.738653   1.753716   1.762046   1.769040
L2              1.903660   1.895260   1.924120   1.941280   1.956430
各種データ
ズーム比    4.83
広角       中間      望遠
焦点距離       5.18102    11.18000  25.00000
Ｆナンバー     4.0561      4.0561    4.9000
画角(ω)       40.1       18.7       8.9
像高           3.84        3.84      3.84
レンズ全長    53.9832     53.9832   53.9832
ＢＦ          0.38011      0.38011   0.38011
d7            0.29977      5.10183   9.08221
d13           9.00949      4.20743   0.22705
d16           4.98426      3.04059   0.97875
d20           4.08418      3.58764   0.93727
d22           1.87349      4.31370   9.02591
d26           0.95194      0.95194   0.95194
ズームレンズ群データ
群    始面    焦点距離
1      1      13.25733
2      8      -6.88192
3     14      19.78369
4     17      11.14255
5     21     -10.20846
6     23      38.31520
各面の非球面量
第５面
Y            ASP            SPH           ΔｚA(h)
4.863        0.98428        1.14312        -0.15884
第６面
Y            ASP            SPH           ΔｚC(h)
4.863        0.84326        0.89580        -0.05254
第７面
Y            ASP            SPH           ΔｚB(h)
4.863       -0.53378       -0.50553        -0.02825
【０２７３】
数値実施例３
単位 mm
面データ
面番号       r            d           nd        νd      ER
物面         ∞           ∞        1.
1*      -34.1166       1.0000      2.00170    20.60    7.927
2*       36.4032       1.3000      1.                  7.081
3           ∞         9.0000      1.90366    31.32    7.025
4           ∞         0.2000      1.                  5.833
5*       13.2194       0.1000      1.63387    23.38    5.529
6*       11.4698       3.6000      1.88300    40.76    5.435
7*      -44.4272       可変        1.                  6.600
8       222.2913       0.5000      1.88300    40.76    4.180
9         5.0884       2.5000      1.                  3.439
10*      -81.2860       0.6000      1.53071    55.69    3.400
11*       12.6830       0.1500      1.                  3.364
12        15.7856       1.4000      1.92286    20.88    3.373
13       -59.4356       可変        1.                  3.300
14        12.5325       1.1000      1.58313    59.38    2.152
15       -60.4246       0.7000      1.                  2.042
16(絞り)     ∞         可変        1.                  1.878
17*       13.3202       1.3000      1.51633    64.14    2.300
18        19.0183       0.5000      1.92286    20.88    2.439
19         7.0766       3.0000      1.51633    64.14    2.483
20*       -5.6569       可変        1.                  2.809
21        14.6734       0.6000      1.77250    49.60    2.752
22         5.2542       可変        1.                  2.657
23*      -63.0037       2.6774      1.58313    59.38    4.500
24        -7.7665       0.1500      1.                  3.446
25       -10.5590       0.5000      1.94595    17.98    3.464
26       -16.3583       可変        1.                  3.594
27           ∞         0.8000      1.51633    64.14    3.721
28           ∞         0.3999      1.                  3.803
像面         ∞
第１面
K=2.7595,A2=0.0000E+00,A4=1.9030E-04,A6=5.9635E-07,A8=-1.9543E-08,A10=7.8834E-11
第２面
K=-31.3996,A2=0.0000E+00,A4=1.3380E-04,A6=2.4111E-06,A8=-2.4126E-08,
A10=1.0947E-10
第５面
K=0,A2=0.0000E+00,A4=-2.5628E-04,A6=3.2651E-07,A8=-9.3881E-09,A10=1.7144E-10
第６面
K=0,A2=0.0000E+00,A4=-1.6625E-04,A6=0.0000E+00,A8=0.0000E+00,A10=0.0000E+00
第７面
K=0,A2=0.0000E+00,A4=-1.0973E-04,A6=1.2063E-07,A8=3.0741E-09,A10=3.2079E-11
第１０面
K=7.8355,A2=0.0000E+00,A4=-1.8105E-03,A6=2.0384E-04,A8=-3.8436E-06,
A10=-5.9774E-08
第１１面
K=-6.4835,A2=0.0000E+00,A4=-2.0129E-03,A6=2.3564E-04,A8=-9.7822E-06,
A10=9.4023E-08
第１７面
K=-6.5430,A2=0.0000E+00,A4=-9.2569E-04,A6=4.5473E-06,A8=-6.4926E-06,
A10=3.3061E-07
第２０面
K=0,A2=0.0000E+00,A4=2.8946E-04,A6=5.2420E-06,A8=-4.1079E-06,A10=1.5900E-07
第２３面
K=0,A2=0.0000E+00,A4=4.7272E-04,A6=-4.5644E-06,A8=7.6118E-07,A10=-4.5742E-08
〔硝材屈折率テーブル〕・・・ 本実施例にて使用した媒質の波長別屈折率一覧
GLA                 587.56     656.27     486.13     435.84     404.66
L7,L10              1.922860   1.910380   1.954570   1.982810   2.009190
L6                  1.530710   1.527870   1.537400   1.542740   1.547272
L14                 1.945950   1.931230   1.983830   2.018254   2.051060
L1                  2.001700   1.988000   2.036520   2.067256   2.095660
L3                  1.633870   1.626381   1.653490   1.671610   1.688826
L8,L13              1.583126   1.580139   1.589960   1.595296   1.599721
L9,L11              1.516330   1.513855   1.521905   1.526213   1.529768
CG                  1.516330   1.513855   1.521905   1.526213   1.529768
L4,L5               1.882997   1.876560   1.898221   1.910495   1.920919
L12                 1.772499   1.767798   1.783374   1.791971   1.799174
L2                  1.903660   1.895260   1.924120   1.941280   1.956430
各種データ
ズーム比    4.85
広角          中間          望遠
焦点距離           5.15380       11.18000      25.00000
Ｆナンバー         3.9257         4.3997        4.9000
画角              40.2           18.7           8.9
像高               3.84           3.84          3.84
レンズ全長        54.2527        54.2527       54.2527
ＢＦ               0.39987        0.39987       0.39987
d7                 0.31233        5.98635      10.55579
d13               10.61159        4.93758       0.36813
d16                5.04275        3.22786       0.94674
d20                3.88830        3.17795       0.88180
d22                1.92094        4.44619       9.02345
d26                0.39949        0.39949       0.39949
ズームレンズ群データ
群      始面    焦点距離
1        1      15.61368
2        8      -7.91783
3       14      17.89949
4       17      11.01985
5       21     -10.89815
6       23      28.24281
各面の非球面量
第５面
Y            ASP            SPH           ΔｚA(h)
4.897        0.79586        0.94048        -0.14462
第６面
Y            ASP            SPH           ΔｚC(h)
4.897        1.00233        1.09793        -0.09560
第７面
Y            ASP            SPH           ΔｚB(h)
4.897       -0.33088       -0.27071        -0.06017
【０２７４】
数値実施例４
単位 mm
面データ
面番号       r            d           nd        νd      ER
物面         ∞            ∞         1.
1*        -36.8722       1.0000      2.00170     20.60    7.978
2*         35.6193       1.3000      1.                   7.017
3            ∞           9.0000     1.90366     31.32    6.991
4            ∞           0.2000     1.                   5.849
5*         11.2800       0.1000      1.67100     20.10    5.505
6*         11.7170       3.6000      1.74320     49.34    5.476
7*        -23.6606       可変        1.                   6.300
8        -129.9031       0.5000      1.88300     40.76    4.032
9           4.9500       2.5000      1.                   3.296
10*       -22.5415       0.6000      1.53071     55.69    3.253
11*        14.2065       0.1500      1.                   3.239
12         16.2624       1.4000      1.92286     20.88    3.252
13        -35.0398       可変        1.                   3.200
14         14.0452       1.1000      1.58313     59.38    2.127
15        -49.0013       0.7000      1.                   2.023
16(絞り)     ∞          可変        1.                   1.867
17*        12.6078       1.3000      1.51633     64.14    2.300
18         67.4916       0.5000      1.92286     20.88    2.425
19         10.0739       3.0000      1.51633     64.14    2.484
20*        -5.8759       可変        1.                   2.821
21         15.3500       0.6000      1.77250     49.60    2.766
22          5.2189       可変        1.                   2.673
23         11.1237       2.8717      1.58313     59.38    4.500
24        -36.1912       0.4000      1.                   3.479
25*       -11.4980       0.5000      1.94595     17.98    3.494
26       -281.2187       可変        1.                   3.586
27           ∞          0.8000      1.51633     64.14    3.669
28           ∞          0.3998      1.                   3.771
像面         ∞
第１面
K=4.0459,A2=0.0000E+00,A4=2.2909E-04,A6=-6.8126E-07,A8=-4.9956E-10,
A10=2.1839E-11
第２面
K=-38.7270,A2=0.0000E+00,A4=2.1135E-04,A6=1.2500E-06,A8=-2.9598E-08,
A10=5.8503E-10
第５面
K=-0.1844,A2=0.0000E+00,A4=-2.1513E-04,A6=-9.4505E-07,A8=2.0556E-09,
A10=4.1423E-11
第６面
K=-0.3233,A2=0.0000E+00,A4=-2.7394E-04,A6=1.0966E-05,A8=-3.2749E-07,
A10=3.1478E-09
第７面
K=0,A2=0.0000E+00,A4=-2.0111E-05,A6=-1.1561E-06,A8=7.6666E-09,A10=3.2712E-11
第１０面
K=7.4926,A2=0.0000E+00,A4=-1.6117E-03,A6=3.7019E-04,A8=-1.7881E-05,
A10=2.0430E-07
第１１面
K=-9.9059,A2=0.0000E+00,A4=-1.9656E-03,A6=4.0037E-04,A8=-2.6693E-05,
A10=5.3283E-07
第１７面
K=0.1863,A2=0.0000E+00,A4=-1.1988E-03,A6=-2.9566E-05,A8=3.7362E-06,
A10=-3.2045E-07
第２０面
K=0,A2=0.0000E+00,A4=2.9233E-04,A6=-9.8751E-06,A8=-1.4867E-06,A10=1.1147E-07
第２５面
K=0,A2=0.0000E+00,A4=6.9318E-04,A6=2.8373E-05,A8=-1.9647E-07,A10=0.0000E+00
〔硝材屈折率テーブル〕・・・ 本実施例にて使用した媒質の波長別屈折率一覧
GLA                    587.56     656.27     486.13     435.84     404.66
L7,L10                 1.922860   1.910380   1.954570   1.982810   2.009190
L6                     1.530710   1.527870   1.537400   1.542740   1.547272
L14                    1.945950   1.931230   1.983830   2.018254   2.051060
L1                     2.001700   1.988000   2.036520   2.067256   2.095660
L8,L13                 1.583126   1.580139   1.589960   1.595296   1.599721
L9,L11                 1.516330   1.513855   1.521905   1.526213   1.529768
CG                     1.516330   1.513855   1.521905   1.526213   1.529768
L5                     1.882997   1.876560   1.898221   1.910495   1.920919
L12                    1.772499   1.767798   1.783374   1.791971   1.799174
L4                     1.743198   1.738653   1.753716   1.762046   1.769040 
L2                     1.903660   1.895260   1.924120   1.941280   1.956430
L3                     1.670997   1.661828   1.695207   1.718105   1.740716 
各種データ
ズーム比    4.81
広角          中間          望遠
焦点距離           5.20231       11.18000      25.00000
Ｆナンバー         3.9860         4.5072        4.9000
画角              40.0           18.6           8.7
像高               3.84           3.84          3.84
レンズ全長        53.3453        53.3453       53.3453
ＢＦ              0.39985         0.39985       0.39985
d7                0.32283         5.16637       9.10403
d13               9.07713         4.23359       0.29593
d16               4.99131         3.17814       0.99298
d20               4.13512         3.47146       0.94388
d22               1.89761         4.37444       9.08718
d26               0.39975         0.39975       0.39975
ズームレンズ群データ
群       始面   焦点距離
1         1     13.49205
2         8     -7.04301
3        14     18.84134
4        17     11.03875
5        21    -10.50737
6        23   -438.13897
各面の非球面量
第５面
Y            ASP            SPH           ΔｚA(h)
4.826        0.94634        1.08450        -0.13817
第６面
Y            ASP            SPH           ΔｚC(h)
4.826        0.93932        1.04003        -0.10071
第７面
Y            ASP            SPH           ΔｚB(h)
4.826       -0.52044       -0.49740        -0.02303
【０２７５】
数値実施例５
単位 mm
面データ
面番号       r            d           nd        νd      ER
物面         ∞           ∞          1.
1*      -39.1957       1.0000       2.00170    20.60    7.556
2*       34.2887       1.3000       1.                  6.589
3           ∞         9.0000       1.90366    31.32    6.572
4           ∞         0.2000       1.                  5.591
5*       11.8345       3.6000       1.74320    49.34    5.333
6*      -24.3525       0.1000       1.63387    23.38    4.824
7*      -21.0160       可変         1.                  6.300
8      -117.0128       0.5000       1.88300    40.76    3.939
9         4.8358       2.5000       1.                  3.245
10*      -27.3699       0.6000       1.53071    55.69    3.264
11*       15.4754       0.1500       1.                  3.235
12        17.8367       1.4000       1.92286    20.88    3.243
13       -32.6505       可変         1.                  3.200
14        12.5547       1.1000       1.58313    59.38    2.111
15       -70.0817       0.7000       1.                  2.004
16(絞り)     ∞         可変         1.                  1.851
17*       15.9424       1.3000       1.51633    64.14    2.300
18        82.4769       0.5000       1.92286    20.88    2.446
19        10.2863       3.0000       1.51633    64.14    2.514
20*       -5.4150       可変         1.                  2.863
21        20.5580       0.6000       1.77250    49.60    2.744
22         5.6887       可変         1.                  2.666
23        24.5739       2.6848       1.48749    70.23    3.134
24        -9.9659       0.4000       1.                  3.439
25*      -16.6829       0.5000       2.00170    20.60    3.484
26       -38.7562       可変         1.                  3.564
27           ∞         0.8000       1.51633    64.14    3.723
28           ∞         0.3998       1.                  3.799
像面         ∞
第１面
K=4.0437,A2=0.0000E+00,A4=2.1709E-04,A6=1.2821E-06,A8=-2.2857E-08,A10=6.1134E-11
第２面
K=-38.7217,A2=0.0000E+00,A4=2.0577E-04,A6=5.4936E-06,A8=-8.0265E-08,
A10=1.0984E-09
第５面
K=-0.1866,A2=0.0000E+00,A4=-3.2277E-04,A6=1.9435E-06,A8=-3.1684E-08,
A10=2.4826E-10
第６面
K=-0.3233,A2=0.0000E+00,A4=-1.7059E-04,A6=-6.5165E-06,A8=2.0717E-07,
A10=-1.9574E-09
第７面
K=0.,A2=0.0000E+00,A4=-1.3140E-04,A6=2.7794E-06,A8=-6.0758E-08,A10=5.2016E-10
第１０面
K=7.4881,A2=0.0000E+00,A4=2.0476E-04,A6=1.6460E-04,A8=-5.9295E-06,A10=7.9124E-08
第１１面
K=-9.9043,A2=0.0000E+00,A4=-3.8203E-04,A6=1.5933E-04,A8=-9.7528E-06,
A10=1.6990E-07
第１７面
K=0.1874,A2=0.0000E+00,A4=-1.4772E-03,A6=2.4184E-05,A8=-1.3288E-05,
A10=9.0072E-07
第２０面
K=0.,A2=0.0000E+00,A4=2.6241E-04,A6=2.8495E-05,A8=-6.5402E-06,A10=3.0171E-07
第２５面
K=0.,A2=0.0000E+00,A4=1.2496E-05,A6=1.3438E-05,A8=0.0000E+00,A10=0.0000E+00
〔硝材屈折率テーブル〕・・・ 本実施例にて使用した媒質の波長別屈折率一覧
GLA                  587.56     656.27     486.13     435.84     404.66
L7,L10               1.922860   1.910380   1.954570   1.982810   2.009190
L6                   1.530710   1.527870   1.537400   1.542740   1.547272
L1,L14               2.001700   1.988000   2.036520   2.067256   2.095660
L4                   1.633870   1.626381   1.653490   1.671610   1.688826 
L8                   1.583126   1.580139   1.589960   1.595296   1.599721
L9,L11               1.516330   1.513855   1.521905   1.526213   1.529768
CG                   1.516330   1.513855   1.521905   1.526213   1.529768
L13                  1.487490   1.485344   1.492285   1.495963   1.498983
L5                   1.882997   1.876560   1.898221   1.910495   1.920919
L12                  1.772499   1.767798   1.783374   1.791971   1.799174
L3                   1.743198   1.738653   1.753716   1.762046   1.769040 
L2                   1.903660   1.895260   1.924120   1.941280   1.956430
各種データ
ズーム比    4.76
広角          中間          望遠
焦点距離           5.25189      11.18000      25.00000
Ｆナンバー         4.0618        4.5061        4.9000
画角              39.7          18.8           8.7
像高               3.84          3.84          3.84
レンズ全長        53.7201       53.7201       53.7201
ＢＦ               0.39983       0.39983       0.39983
d7                 0.31587       5.13517       9.10783
d13                9.10769       4.28840       0.31574
d16                5.01934       3.16162       0.97976
d20                4.09282       3.44316       0.96388
d22                1.91769       4.42508       9.08621
d26                0.93207       0.93207       0.93207
ズームレンズ群データ
群      始面    焦点距離
1        1      13.36864
2        8      -7.11780
3       14      18.34900
4       17      10.97915
5       21     -10.36365
6       23      28.67251
各面の非球面量
第５面
Y            ASP            SPH           ΔｚB(h)
4.753        0.83889        0.99640        -0.15751
第６面
Y            ASP            SPH           ΔｚC(h)
4.753       -0.58661       -0.46834        -0.11828
第７面
Y            ASP            SPH           ΔｚA(h)
4.753       -0.59231       -0.54453        -0.04778
【０２７６】
数値実施例６
単位 mm
面データ
面番号       r            d           nd        νd      ER
物面         ∞            ∞         1.
1        -37.3511       1.0000      2.00170    20.60    7.133
2         38.8193       1.3000      1.                  6.661
3           ∞          9.0000      1.90366    31.32    6.484
4           ∞          0.2000      1.                  5.356
5*        11.9196       0.1000      1.63387    23.38    5.040
6*        12.4516       3.6000      1.74320    49.34    5.012
7*       -21.1047       可変        1.                  6.300
8*       -37.0828       0.5000      1.88300    40.76    3.888
9*         4.4574       2.5000      1.                  3.294
10*       -59.7636       0.6000      1.53071    55.69    3.125
11*        25.4413       0.1500      1.                  3.194
12         17.4315       1.4000      1.92286    20.88    3.244
13        -32.7736       可変        1.                  3.200
14        -80.8437       0.7000      1.                  2.062
16(絞り)     ∞          可変        1.                  1.905
17*        15.1190       1.3000      1.51633    64.14    2.300
18        588.3600       0.5000      1.92286    20.88    2.434
19         10.1743       3.0000      1.51633    64.14    2.505
20*        -5.0076       可変        1.                  2.849
21         18.3882       0.6000      1.77250    49.60    2.669
22          5.1234       可変        1.                  2.577
23        184.6577       2.6889      1.48749    70.23    4.500
24         -7.5383       0.1500      1.                  3.424
25*       -12.5903       0.5000      2.00170    20.60    3.473
26        -24.8295        可変       1.                  3.580
27           ∞          0.8000      1.51633    64.14    3.692
28           ∞          0.4000      1.                  3.782
像面         ∞
第５面
K=-0.1831,A2=0.0000E+00,A4=1.0995E-04,A6=-8.2015E-06,A8=1.5151E-07,
A10=-1.0375E-09
第６面
K=-0.3234,A2=0.0000E+00,A4=-1.0762E-04,A6=1.9284E-05,A8=-6.5912E-07,
A10=7.0094E-09
第７面
K=0.,A2=0.0000E+00,A4=3.1638E-04,A6=-8.8460E-06,A8=1.4793E-07,A10=-8.6311E-10
第８面
K=0.,A2=0.0000E+00,A4=1.5014E-04,A6=1.4020E-06,A8=0.0000E+00,A10=0.0000E+00
第９面
K=0.,A2=0.0000E+00,A4=-2.1877E-03,A6=-1.1975E-04,A8=0.0000E+00,A10=0.0000E+00
第１０面
K=7.5114,A2=0.0000E+00,A4=-8.1064E-03,A6=-3.3236E-04,A8=8.2085E-05,
A10=-2.9201E-06
第１１面
K=-9.9138,A2=0.0000E+00,A4=-7.0817E-03,A6=1.5068E-04,A8=3.9323E-05,
A10=-1.6754E-06
第１７面
K=0.1973,A2=0.0000E+00,A4=-1.6519E-03,A6=6.7190E-05,A8=-1.5516E-05,
A10=5.0791E-07
第２０面
K=0.,A2=0.0000E+00,A4=9.1856E-04,A6=-3.7878E-05,A8=3.7342E-06,A10=-2.6003E-07
第２５面
K=0.,A2=0.0000E+00,A4=3.6205E-04,A6=0.0000E+00,A8=0.0000E+00,A10=0.0000E+00
〔硝材屈折率テーブル〕・・・ 本実施例にて使用した媒質の波長別屈折率一覧
GLA                587.56     656.27     486.13     435.84     404.66
L7,L10             1.922860   1.910380   1.954570   1.982810   2.009190
L6                 1.530710   1.527870   1.537400   1.542740   1.547272
L1,L14             2.001700   1.988000   2.036520   2.067256   2.095660
L3                 1.633870   1.626381   1.653490   1.671610   1.688826 
L8                 1.583126   1.580139   1.589960   1.595296   1.599721
L9,L11             1.516330   1.513855   1.521905   1.526213   1.529768
CG                 1.516330   1.513855   1.521905   1.526213   1.529768
L13                1.487490   1.485344   1.492285   1.495963   1.498983
L5                 1.882997   1.876560   1.898221   1.910495   1.920919
L12                1.772499   1.767798   1.783374   1.791971   1.799174
L4                 1.743198   1.738653   1.753716   1.762046   1.769040 
L2                 1.903660   1.895260   1.924120   1.941280   1.956430
各種データ
ズーム比    4.78
広角          中間          望遠
焦点距離           5.22851       11.18000     25.00000
Ｆナンバー         3.9270         4.4804       4.9000
画角              39.9           18.7          9.0
像高               3.84           3.84         3.84
レンズ全長        52.9248        52.9248      52.9248
ＢＦ               0.39998        0.39998      0.39998
d7                 0.24937        5.06790      9.05623
d13                9.10791        4.28937      0.30104
d16                5.02700        3.18292      0.98261
d20                4.13714        3.24448      0.97229
d22                1.91456        4.65130      9.12380
d26                0.39988        0.39988      0.39988
ズームレンズ群データ
群      始面   焦点距離
1        1     13.27797
2        8     -7.68074
3       14     18.69273
4       17     10.38536
5       21     -9.37866
6       23     35.11537
各面の非球面量
第５面
Y            ASP            SPH           ΔｚA(h)
4.786        0.98904        1.00305        -0.01401
第６面
Y            ASP            SPH           ΔｚC(h)
4.786        0.98205        0.95653         0.02551
第７面
Y            ASP            SPH           ΔｚB(h)
4.786       -0.45487       -0.54983         0.09496
【０２７７】
数値実施例７
単位 mm
面データ
面番号        r            d           nd        νd      ER
物面         ∞            ∞         1.
1        -21.3630       1.0000      2.00170    20.60    7.058
2         74.5600       0.3500      1.                  6.799
3           ∞          9.0000      1.90366    31.32    6.794
4           ∞          0.2000      1.                  6.252
5*        14.0995       0.1000      1.63387    23.38    6.084
6*        15.3150       3.6000      1.74320    49.34    6.057
7*       -15.2738       可変        1.                  5.800
8*       -17.3906       0.5000      1.88300    40.76    4.093
9*        17.6388       1.8000      1.                  3.378
10        -16.8418       1.4000      1.92286    20.88    3.261
11         -6.1238       0.5000      1.74320    49.34    3.244
12*        22.1074       可変        1.                  3.100
13          9.4333       1.1000      1.58313    59.38    2.137
14         43.3680       0.7000      1.                  1.995
15(絞り)     ∞          可変        1.                  1.848
16*         6.0331       1.5000      1.51633    64.14    2.700
17         11.9526       0.5000      1.92286    20.88    2.707
18          6.6889       2.8000      1.51633    64.14    2.674
19*       -10.1009       可変        1.                  2.786
20          7.7522       0.6000      1.77250    49.60    2.581
21          3.7278       可変        1.                  2.386
22         35.1021       2.6523      1.69680    55.53    4.500
23         -7.7607       0.1500      1.                  3.126
24        -18.4767       0.5000      1.94595    17.98    3.114
25        184.5876       3.5045      1.                  3.170
26           ∞          0.8000      1.51633    64.14    3.715
27           ∞          0.3975      1.                  3.797
像面         ∞
第５面
K=0.,A2=0.0000E+00,A4=-5.5150E-06,A6=-5.4321E-06,A8=1.4758E-07,A10=-1.6384E-09
第６面
K=0.,A2=0.0000E+00,A4=-1.5832E-04,A6=1.9796E-05,A8=-6.5912E-07,A10=7.0094E-09
第７面
K=0.,A2=0.0000E+00,A4=1.9582E-04,A6=-2.8820E-06,A8=5.2566E-08,A10=-5.6003E-10
第８面
K=0.,A2=0.0000E+00,A4=4.0917E-03,A6=-9.1976E-05,A8=0.0000E+00,A10=0.0000E+00
第９面
K=0.,A2=0.0000E+00,A4=4.0343E-03,A6=9.0412E-05,A8=0.0000E+00,A10=0.0000E+00
第１２面
K=0.,A2=0.0000E+00,A4=-1.3612E-04,A6=-6.2630E-05,A8=0.0000E+00,A10=0.0000E+00
第１６面
K=1.1971,A2=0.0000E+00,A4=-1.4843E-03,A6=-6.5634E-05,A8=4.2809E-07,
A10=-3.4369E-07
第１９面
K=0.,A2=0.0000E+00,A4=4.4058E-04,A6=-6.3930E-05,A8=2.1916E-06,A10=-2.2041E-07
〔硝材屈折率テーブル〕・・・ 本実施例にて使用した媒質の波長別屈折率一覧
GLA                  587.56     656.27     486.13     435.84     404.66
L6,L10               1.922860   1.910380   1.954570   1.982810   2.009190
L14                  1.945950   1.931230   1.983830   2.018254   2.051060
L1                   2.001700   1.988000   2.036520   2.067256   2.095660
L3                   1.633870   1.626381   1.653490   1.671610   1.688826 
L8                   1.583126   1.580139   1.589960   1.595296   1.599721
L9,L11               1.516330   1.513855   1.521905   1.526213   1.529768
CG                   1.516330   1.513855   1.521905   1.526213   1.529768
L5                   1.882997   1.876560   1.898221   1.910495   1.920919
L12                  1.772499   1.767798   1.783374   1.791971   1.799174
L13                  1.696797   1.692974   1.705522   1.712339   1.718005
L4,L7                1.743198   1.738653   1.753716   1.762046   1.769040 
L2                   1.903660   1.895260   1.924120   1.941280   1.956430
各種データ
ズーム比    4.64
広角          中間          望遠
焦点距離           5.38577       11.16986      24.96313
Ｆナンバー         3.8815         4.6557        4.9000
画角              39.1           19.0           8.7
像高               3.84           3.84          3.84
レンズ全長        51.5678        51.5678       51.5678
ＢＦ               0.39753        0.39753       0.39753
d7                 0.47936        4.49876       8.41588
d12                8.25601        4.23661       0.31950
d15                5.09148        2.68413       0.96813
d19                2.11730        2.38261       1.04155
d21                1.96929        4.11133       7.16839
ズームレンズ群データ
群     始面    焦点距離
1       1      13.55358
2       8      -5.74932
3      13      20.43018
4      16       9.78215
5      20      -9.94143
6      22      18.77730
各面の非球面量
第５面
Y            ASP            SPH           ΔｚA(h)
4.559        0.72744        0.75741        -0.02997
第６面
Y            ASP            SPH           ΔｚC(h)
4.559        0.70784        0.69430         0.01354
第７面
Y            ASP            SPH           ΔｚB(h)
4.559       -0.62992       -0.69627         0.06635
【０２７８】
数値実施例８
単位 mm
面データ
面番号       r            d           nd        νd      ER
物面         ∞            ∞       1.
1*     -16.2370       1.0000      2.00170    20.60    6.689
2*      54.5154       1.3000      1.                  6.024
3           ∞        9.0000      1.90366    31.32    5.974
4           ∞        0.2000      1.                  5.486
5*      10.0246       0.2000      1.74600    16.30    5.340
6*      10.6953       3.6000      1.74320    49.34    5.304
7*     -22.2042       可変        1.                  6.300
8       20.5813       0.5000      1.88300    40.76    3.766
9        5.0683       1.7000      1.                  3.171
10*      -9.1525       0.6000      1.53071    55.69    3.166
11       14.9251       0.1500      1.                  3.151
12       11.9583       1.4000      1.92286    20.88    3.176
13     -190.1629       可変        1.                  3.100
14        9.7980       1.1000      1.58313    59.38    2.112
15      -83.0461       0.7000      1.                  1.999
16(絞り)     ∞        可変        1.                  1.832
17*      36.1765       1.2000      1.74320    49.34    2.500
18     -112.7473       0.5000      1.92286    20.88    2.708
19        8.1682       0.2000      1.                  2.874
20*      13.0868       2.3000      1.74320    49.34    3.104
21*      -5.5044       可変        1.                  3.273
22       17.0176       0.6000      1.77250    49.60    2.691
23        4.5776       可変        1.                  2.536
24      -27.5537       2.6258      1.48749    70.23    2.804
25       -5.9164       0.1500      1.                  3.237
26*      -7.3261       0.5000      2.00170    20.60    3.256
27       -8.9752       0.8035      1.                  3.414
28           ∞        0.8000      1.51633    64.14    3.634
29           ∞        0.3995      1.                  3.751
像面         ∞
第１面
K=0.,A2=0.0000E+00,A4=8.9657E-04,A6=-2.3328E-05,A8=3.6241E-07,A10=-2.1496E-09
第２面
K=0.,A2=0.0000E+00,A4=6.3688E-04,A6=-1.5171E-05,A8=2.1640E-07,A10=-4.1071E-11
第５面
K=0.,A2=0.0000E+00,A4=-4.2537E-04,A6=1.0131E-06,A8=-9.4698E-09,A10=-5.3391E-11
第６面
K=0.,A2=0.0000E+00,A4=-3.1852E-04,A6=6.7344E-07,A8=0.0000E+00,A10=0.0000E+00
第７面
K=0.,A2=0.0000E+00,A4=-1.5435E-04,A6=2.2981E-06,A8=-2.8213E-08,A10=1.4286E-10
第１０面
K=0.,A2=0.0000E+00,A4=5.5832E-05,A6=-1.2343E-06,A8=0.0000E+00,A10=0.0000E+00
第１７面
K=0.,A2=0.0000E+00,A4=-3.5657E-03,A6=2.2978E-05,A8=0.0000E+00,A10=0.0000E+00
第２０面
K=0.,A2=0.0000E+00,A4=2.3821E-03,A6=-9.5003E-05,A8=0.0000E+00,A10=0.0000E+00
第２１面
K=0.,A2=0.0000E+00,A4=4.6967E-04,A6=-1.4968E-05,A8=0.0000E+00,A10=0.0000E+00
第２６面
K=0.
〔硝材屈折率テーブル〕・・・ 本実施例にて使用した媒質の波長別屈折率一覧
GLA                 587.56     656.27     486.13     435.84     404.66
L7,L10              1.922860   1.910380   1.954570   1.982810   2.009190
L6                  1.530710   1.527870   1.537400   1.542740   1.547272
L1,L14              2.001700   1.988000   2.036520   2.067256   2.095660
L8                  1.583126   1.580139   1.589960   1.595296   1.599721
CG                  1.516330   1.513855   1.521905   1.526213   1.529768
L13                 1.487490   1.485344   1.492285   1.495963   1.498983
L5                  1.882997   1.876560   1.898221   1.910495   1.920919
L12                 1.772499   1.767798   1.783374   1.791971   1.799174
L4,L9,L11           1.743198   1.738653   1.753716   1.762046   1.769040
L2                  1.903660   1.895260   1.924120   1.941280   1.956430
L3                  1.745996   1.733686   1.779447   1.811159   1.842705
各種データ
ズーム比    4.51
広角          中間          望遠
焦点距離           5.51919        11.76171     24.89202
Ｆナンバー         4.0055          4.3215       4.9000
画角               38.5           17.9          8.8
像高                3.84           3.84         3.84
レンズ全長         51.4069        51.4069      51.4069
ＢＦ                0.39945        0.39945      0.39945
d7                  0.44687        5.17663      8.95480
d13                 8.78029        4.05052      0.27235
d16                 5.08543        3.41837      0.92117
d21                 3.79344        3.11057      0.93307
d23                 1.77206        4.12199      8.79669
ズームレンズ群データ
群     始面    焦点距離
1       1      12.20341
2       8      -7.34767
3      14      15.09519
4      17       9.42755
5      22      -8.28027
6      24      22.91406
各面の非球面量
第５面
Y            ASP            SPH           ΔｚA(h)
4.371        0.85353        1.00313        -0.14960
第６面
Y            ASP            SPH           ΔｚC(h)
4.371        0.82239        0.93396        -0.11157
第７面
Y            ASP            SPH           ΔｚB(h)
4.371       -0.47819       -0.43448        -0.04371
【０２７９】
数値実施例９
単位 mm
面データ
面番号       r            d          nd        νd      ER
物面         ∞           ∞        1.
1*     -28.2202       1.0000      2.00170    20.60    6.919
2*      26.2916       1.3000      1.                  6.177
3           ∞        9.0000      1.90366    31.32    6.139
4           ∞        0.2000      1.                  5.637
5*      10.5433       0.1500      1.65700    21.20    5.486
6*      11.8569       3.6000      1.74320    49.34    5.458
7*     -19.9723       可変        1.                  6.300
8       51.4078       0.5000      1.88300    40.76    3.945
9        4.9523       1.7000      1.                  3.278
10*      -8.8557       0.6000      1.53071    55.69    3.268
11*     125.3619       0.1500      1.                  3.259
12       10.5320       1.4000      1.92286    20.88    3.297
13     2691.8859       可変        1.                  3.200
14        9.4885       1.1000      1.58313    59.38    2.067
15     -258.9213       0.7000      1.                  1.932
16(絞り)     ∞        可変        1.                  1.749
17*      17.4158       1.2000      1.51633    64.14    2.200
18      -19.7600       0.5000      1.92286    20.88    2.351
19       10.4834       0.4000      1.                  2.488
20       92.5034       1.2000      1.58313    59.38    2.575
21      -10.0034       0.1500      1.                  2.836
22*     104.9650       1.5000      1.74320    49.34    3.084
23*      -6.3344       可変        1.                  3.181
24     -229.7767       0.6000      1.77250    49.60    2.674
25        4.9097       可変        1.                  2.597
26     -160.2710       2.0149      1.58313    59.38    3.070
27       -8.4331       0.1500      1.                  3.460
28           ∞        0.8000      1.51633    64.14    3.653
29           ∞        0.3998      1.                  3.766
像面         ∞
第１面
K=0.,A2=0.0000E+00,A4=2.2979E-05,A6=3.4939E-06,A8=-3.9196E-08,A10=1.5723E-10
第２面
K=0.,A2=0.0000E+00,A4=-1.3176E-04,A6=9.9488E-06,A8=-1.3709E-07,A10=1.6452E-09
第５面
K=0.,A2=0.0000E+00,A4=-3.7457E-04,A6=1.4426E-06,A8=-1.5630E-08,A10=-8.3293E-11
第６面
K=0.,A2=0.0000E+00,A4=-1.4537E-04,A6=0.0000E+00,A8=0.0000E+00,A10=0.0000E+00
第７面
K=0.,A2=0.0000E+00,A4=-7.9180E-05,A6=1.0875E-06,A8=-1.0199E-08,A10=-3.3949E-11
第１０面
K=0.,A2=0.0000E+00,A4=3.7961E-03,A6=-1.5139E-04,A8=4.5432E-06,A10=-1.4611E-07
第１１面
K=0.,A2=0.0000E+00,A4=3.1739E-03,A6=-1.2687E-04,A8=0.0000E+00,A10=0.0000E+00
第１７面
K=0.,A2=0.0000E+00,A4=-2.7706E-03,A6=-1.6071E-05,A8=0.0000E+00,A10=0.0000E+00
第２２面
K=0.,A2=0.0000E+00,A4=7.4509E-04,A6=-1.6791E-05,A8=0.0000E+00,A10=0.0000E+00
第２３面
K=0.,A2=0.0000E+00,A4=5.9295E-04,A6=-1.9303E-05,A8=0.0000E+00,A10=0.0000E+00
〔硝材屈折率テーブル〕・・・ 本実施例にて使用した媒質の波長別屈折率一覧
GLA                  587.56     656.27     486.13     435.84     404.66
L7,L10               1.922860   1.910380   1.954570   1.982810   2.009190
L6                   1.530710   1.527870   1.537400   1.542740   1.547272
L1                   2.001700   1.988000   2.036520   2.067256   2.095660
L8,L11,L14           1.583126   1.580139   1.589960   1.595296   1.599721
L9                   1.516330   1.513855   1.521905   1.526213   1.529768
CG                   1.516330   1.513855   1.521905   1.526213   1.529768
L5                   1.882997   1.876560   1.898221   1.910495   1.920919
L13                  1.772499   1.767798   1.783374   1.791971   1.799174
L4,L12               1.743198   1.738653   1.753716   1.762046   1.769040 
L2                   1.903660   1.895260   1.924120   1.941280   1.956430
L3                   1.656997   1.648435   1.679422   1.699904   1.719581 
各種データ
ズーム比    4.80
広角          中間          望遠
焦点距離           5.19296       11.59976      24.91601
Ｆナンバー         3.6927         4.2282        4.9000
画角              40.2           18.0           8.7
像高               3.84           3.84         3.84
レンズ全長        50.0773        50.0773       50.0773
ＢＦ               0.39979        0.39979       0.39979
d7                 0.46506      5.27975      9.00042
d13                8.83833      4.02364      0.30297
d16                4.97749      3.34583      1.01138
d23                3.75016      2.84241      0.97633
d25                1.73154      4.27095      8.47148
ズームレンズ群データ
群     始面    焦点距離
1       1      12.26447
2       8      -8.32203
3      14      15.72033
4      17       8.09258
5      24      -6.21574
6      26      15.19092
各面の非球面量
第５面
Y            ASP            SPH           ΔｚA(h)
4.835        0.98247        1.17399        -0.19152
第６面
Y            ASP            SPH           ΔｚC(h)
4.835        0.95115        1.03060        -0.07944
第７面
Y            ASP            SPH           ΔｚB(h)
4.835       -0.62674       -0.59408        -0.03266
【０２８０】
数値実施例１０
単位 mm
面データ
面番号       r            d          nd        νd      ER
物面         ∞            ∞        1.
1       -36.6878       1.0000      2.00170    20.60    6.962
2        24.3973       1.3000      1.                  6.434
3           ∞         9.0000      1.90366    31.32    6.370
4           ∞         0.2000      1.                  5.688
5*       10.5050       0.1500      1.76300    15.80    5.458
6*       11.0505       3.6000      1.74320    49.34    5.420
7*      -21.6061       可変        1.                  6.300
8*     -325.1157       0.5000      1.88300    40.76    3.955
9*        4.8336       1.7000      1.                  3.254
10*      -12.2468       0.6000      1.53071    55.69    3.251
11*       78.1773       0.1500      1.                  3.243
12         9.3727       1.4000      1.92286    20.88    3.307
13        79.6458       可変        1.                  3.200
14         8.7688       1.1000      1.58313    59.38    2.064
15      -391.8418       0.7000      1.                  1.929
16(絞り)     ∞         可変        1.                  1.746
17*       13.7657       1.2000      1.51633    64.14    2.200
18       -21.6390       0.5000      1.92286    20.88    2.330
19        10.0466       0.4000      1.                  2.450
20        33.7775       1.2000      1.58313    59.38    2.565
21       -11.3531       0.1500      1.                  2.793
22*     -113.2749       1.5000      1.74320    49.34    2.962
23*       -6.1927       可変        1.                  3.083
24       -32.8632       0.6000      1.77250    49.60    2.679
25         5.7156       可変        1.                  2.655
26        48.5414       2.0451      1.58313    59.38    3.209
27       -10.6321       0.1500      1.                  3.541
28           ∞         0.8000      1.51633    64.14    3.684
29           ∞         0.3998      1.                  3.783
像面         ∞
第５面
K=0.,A2=0.0000E+00,A4=-1.6379E-04,A6=-3.3883E-07,A8=1.7854E-08,A10=-3.4484E-10
第６面
K=0.,A2=0.0000E+00,A4=-7.0902E-05,A6=0.0000E+00,A8=0.0000E+00,A10=0.0000E+00
第７面
K=0.,A2=0.0000E+00,A4=5.9030E-05,A6=5.3932E-07,A8=4.6666E-09,A10=-2.1957E-10
第８面
K=0.,A2=0.0000E+00,A4=8.2614E-04,A6=-6.5674E-05,A8=3.8838E-06,A10=-7.3567E-08
第９面
K=0.,A2=0.0000E+00,A4=1.9218E-05,A6=-3.8883E-05,A8=-1.3608E-05,A10=7.8258E-07
第１０面
K=0.,A2=0.0000E+00,A4=-5.9881E-04,A6=5.2838E-05,A8=-1.6455E-05,A10=8.6229E-07
第１１面
K=0.,A2=0.0000E+00,A4=9.4577E-05,A6=7.6411E-05,A8=0.0000E+00,A10=0.0000E+00
第１７面
K=0.,A2=0.0000E+00,A4=-2.7407E-03,A6=-1.5876E-05,A8=0.0000E+00,A10=0.0000E+00
第２２面
K=0.,A2=0.0000E+00,A4=7.4963E-04,A6=-1.7025E-05,A8=0.0000E+00,A10=0.0000E+00
第２３面
K=0.,A2=0.0000E+00,A4=5.9533E-04,A6=-1.9711E-05,A8=0.0000E+00,A10=0.0000E+00
〔硝材屈折率テーブル〕・・・ 本実施例にて使用した媒質の波長別屈折率一覧
GLA                 587.56     656.27     486.13     435.84     404.66
L7,L10              1.922860   1.910380   1.954570   1.982810   2.009190
L6                  1.530710   1.527870   1.537400   1.542740   1.547272
L1                  2.001700   1.988000   2.036520   2.067256   2.095660
L8,L11,L14          1.583126   1.580139   1.589960   1.595296   1.599721
L9                  1.516330   1.513855   1.521905   1.526213   1.529768
CG                  1.516330   1.513855   1.521905   1.526213   1.529768
L5                  1.882997   1.876560   1.898221   1.910495   1.920919
L13                 1.772499   1.767798   1.783374   1.791971   1.799174
L4,L12              1.743198   1.738653   1.753716   1.762046   1.769040
L2                  1.903660   1.895260   1.924120   1.941280   1.956430
L3                  1.762995   1.750038   1.798323   1.832460   1.866893
各種データ
ズーム比    4.71
広角          中間          望遠
焦点距離           5.26994       12.15583      24.83638
Ｆナンバー         3.7696         4.1821        4.9000
画角              39.7           17.5           8.7
像高               3.84           3.84          3.84
レンズ全長        49.6448        49.6448       49.6448
ＢＦ               0.39979        0.39979       0.39979
d7                 0.46191        5.51525       8.84393
d13                8.50963        3.45630       0.12761
d16                4.99846        3.49500       1.02832
d23                3.59699        2.78212       1.02198
d25                1.73283        4.05117       8.27798
ズームレンズ群データ
群     始面    焦点距離
1       1      12.42886
2       8      -7.86300
3      14      14.72336
4      17       8.43495
5      24      -6.26024
6      26      15.14981
各面の非球面量
第５面
Y            ASP            SPH           ΔｚA(h)
4.710        1.03323        1.11507        -0.08184
第６面
Y            ASP            SPH           ΔｚC(h)
4.710        1.01914        1.05403        -0.03489
第７面
Y            ASP            SPH           ΔｚB(h)
4.710       -0.48474       -0.51963         0.03489
【０２８１】
数値実施例１１
単位 mm
面データ
面番号       r            d          nd        νd      ER
物面         ∞          ∞         1.
1      -29.5891       0.7000      2.00170    20.60    6.966
2       35.4481       0.8000      1.                  6.593
3           ∞        9.0000      1.90366    31.32    6.564
4           ∞        0.2000      1.                  5.824
5       21.0386       2.2000      1.88300    40.76    5.669
6      -62.4436       0.1500      1.                  6.600
7*      18.5916       0.1000      1.63387    23.38    4.857
8*      19.7542       2.2000      1.62263    58.16    4.825
9*     -55.5656       可変        1.                  6.000
10*     -34.5912       0.5000      1.88300    40.76    3.791
11*       4.4260       2.2000      1.                  3.220
12*    -197.0225       0.6000      1.53071    55.69    3.113
13*      19.8734       0.1500      1.                  3.185
14       15.6809       1.4000      1.92286    20.88    3.245
15      -38.3579       可変        1.                  3.200
16       11.2734       1.1000      1.58313    59.38    2.234
17     -350.1549       0.7000      1.                  2.121
18(絞り)     ∞        可変        1.                  1.972
19*      12.4179       1.3000      1.51633    64.14    2.300
20      -57.7924       0.5000      1.92286    20.88    2.411
21       12.9935       3.0000      1.51633    64.14    2.482
22*      -5.1262       可変        1.                  2.815
23       12.2939       0.6000      1.77250    49.60    2.588
24        4.4431       可変        1.                  2.461
25      -26.4161       2.6440      1.48749    70.23    4.500
26       -5.8916       0.1500      1.                  3.284
27*      -6.1600       0.5000      2.00170    20.60    3.305
28       -7.8559       0.3996      1.                  3.500
29            ∞       0.8000      1.51633    64.14    3.700
30           ∞        0.3998      1.                  3.797
像面         ∞
第７面
K=0.0718,A2=0.0000E+00,A4=1.0995E-04,A6=-8.2015E-06,A8=1.5151E-07,
A10=-1.0375E-09
第８面
K=0.,A2=0.0000E+00,A4=4.4288E-05,A6=-6.6606E-07,A8=0.0000E+00,A10=0.0000E+00
第９面
K=0.,A2=0.0000E+00,A4=2.5521E-04,A6=-1.3426E-05,A8=3.2957E-07,A10=-3.0055E-09
第１０面
K=0.,A2=0.0000E+00,A4=1.5014E-04,A6=1.4020E-06,A8=0.0000E+00,A10=0.0000E+00
第１１面
K=0.,A2=0.0000E+00,A4=-2.1877E-03,A6=-1.1975E-04,A8=0.0000E+00,A10=0.0000E+00
第１２面
K=16.2984,A2=0.0000E+00,A4=-8.1064E-03,A6=-3.3236E-04,A8=8.2085E-05,
A10=-2.9201E-06
第１３面
K=-7.2506,A2=0.0000E+00,A4=-7.0817E-03,A6=1.5068E-04,A8=3.9323E-05,
A10=-1.6754E-06
第１９面
K=0.1053,A2=0.0000E+00,A4=-1.6519E-03,A6=6.7190E-05,A8=-1.5516E-05,
A10=5.0791E-07
第２２面
K=0.,A2=0.0000E+00,A4=9.1856E-04,A6=-3.7878E-05,A8=3.7342E-06,A10=-2.6003E-07
第２７面
K=0.,A2=0.0000E+00,A4=3.6205E-04,A6=0.0000E+00,A8=0.0000E+00,A10=0.0000E+00
〔硝材屈折率テーブル〕・・・ 本実施例にて使用した媒質の波長別屈折率一覧
GLA                  587.56     656.27     486.13     435.84     404.66
L8,L11               1.922860   1.910380   1.954570   1.982810   2.009190
L7                   1.530710   1.527870   1.537400   1.542740   1.547272
L1,L15               2.001700   1.988000   2.036520   2.067256   2.095660
L5                   1.622630   1.619350   1.630050   1.635825   1.640600 
L4                   1.633870   1.626381   1.653490   1.671610   1.688826 
L9                   1.583126   1.580139   1.589960   1.595296   1.599721
L10                  1.516330   1.513855   1.521905   1.526213   1.529768
L12,L16              1.516330   1.513855   1.521905   1.526213   1.529768
L14                  1.487490   1.485344   1.492285   1.495963   1.498983
L3,L6                1.882997   1.876560   1.898221   1.910495   1.920919
L13                  1.772499   1.767798   1.783374   1.791971   1.799174
L2                   1.903660   1.895260   1.924120   1.941280   1.956430
各種データ
ズーム比    4.63
広角          中間          望遠
焦点距離           5.36710        11.13256     24.83409
Ｆナンバー         3.7978          4.5666       0.39982
画角              39.2            18.7          8.9
像高               3.84            3.84         3.84
レンズ全長        52.5154         52.5154      52.5154
ＢＦ               0.39982         0.39982      0.39982
d9                 0.49974         4.83564      8.94069
d15                8.86214         4.52624      0.42119
d18                5.04019         2.85037      0.93468
d22                3.97941         2.98126      0.97730
d24                1.84054         5.02853      8.94817
ズームレンズ群データ
群      始面   焦点距離
1        1     13.34343
2       10     -7.44677
3       16     18.75064
4       19      9.98488
5       23     -9.31694
6       25     29.18704
各面の非球面量
第７面
Y            ASP            SPH           ΔｚA(h)
4.571        0.56926        0.57068        -0.00142
第８面
Y            ASP            SPH           ΔｚC(h)
4.571        0.54939        0.53613         0.01326
第９面
Y            ASP            SPH           ΔｚB(h)
4.571       -0.14854       -0.18833         0.03979
【０２８２】
数値実施例１２
単位 mm
面データ
面番号       r            d          nd        νd      ER
物面         ∞           ∞        1.
1*     -34.6695       1.0000      2.00170    20.60    7.952
2*      36.9561       1.3000      1.                  7.108
3           ∞        9.0000      1.90366    31.32    7.048
4           ∞        0.2000      1.                  5.836
5*      13.0532       0.1000      1.74600    16.30    5.515
6*      12.1532       3.6000      1.88300    40.76    5.454
7*     -42.3240       可変        1.                  6.600
8      325.2349       0.5000      1.88300    40.76    4.172
9        5.0693       2.5000      1.                  3.429
10*     -74.3584       0.6000      1.53071    55.69    3.393
11*      12.5453       0.1500      1.                  3.361
12       15.5293       1.4000      1.92286    20.88    3.371
13      -55.9861       可変        1.                  3.300
14       12.5847       1.1000      1.58313    59.38    2.150
15      -59.4661       0.7000      1.                  2.040
16(絞り)     ∞        可変        1.                  1.876
17*      13.1966       1.3000      1.51633    64.14    2.300
18       19.6805       0.5000      1.92286    20.88    2.437
19        7.1162       3.0000      1.51633    64.14    2.482
20*      -5.6571       可変        1.                  2.808
21       14.6736       0.6000      1.77250    49.60    2.749
22        5.2533       可変        1.                  2.654
23*     -66.6651       2.6758      1.58313    59.38    4.500
24       -7.8119       0.1500      1.                  3.442
25      -10.2707       0.5000      1.94595    17.98    3.459
26      -15.5611       0.3998      1.                  3.591
27           ∞        0.8000      1.51633    64.14    3.719
28           ∞        0.3999      1.                  3.801
像面         ∞
第１面
K=2.7594,A2=0.0000E+00,A4=1.7716E-04,A6=7.2769E-07,A8=-2.0826E-08,A10=8.9801E-11
第２面
K=-31.3996,A2=0.0000E+00,A4=1.3415E-04,A6=2.1811E-06,A8=-2.1436E-08,
A10=9.6874E-11
第５面
K=0.,A2=0.0000E+00,A4=-2.1416E-04,A6=9.9361E-08,A8=-5.0701E-09,A10=1.0023E-10
第６面
K=0.,A2=0.0000E+00,A4=-1.7986E-04*,A6=0.0000E+00,A8=0.0000E+00,A10=0.0000E+00
第７面
K=0.,A2=0.0000E+00,A4=-9.0918E-05,A6=-5.3630E-08,A8=4.0909E-09,A10=1.2245E-11
第１０面
K=7.8231,A2=0.0000E+00,A4=-1.8105E-03,A6=2.0384E-04,A8=-3.8436E-06,
A10=-5.9774E-08
第１１面
K=-6.4820,A2=0.0000E+00,A4=-2.0129E-03,A6=2.3564E-04,A8=-9.7822E-06,
A10=9.4023E-08
第１７面
K=-6.5452,A2=0.0000E+00,A4=-9.2569E-04,A6=4.5473E-06,A8=-6.4926E-06,
A10=3.3061E-07
第２０面
K=0.,A2=0.0000E+00,A4=2.8946E-04,A6=5.2420E-06,A8=-4.1079E-06,A10=1.5900E-07
第２３面
K=0.,A2=0.0000E+00,A4=4.7272E-04,A6=-4.5644E-06,A8=7.6118E-07,A10=-4.5742E-08
〔硝材屈折率テーブル〕・・・ 本実施例にて使用した媒質の波長別屈折率一覧
GLA                  587.56     656.27     486.13     435.84     404.66
L7,L10               1.922860   1.910380   1.954570   1.982810   2.009190
L6                   1.530710   1.527870   1.537400   1.542740   1.547272
L14                  1.945950   1.931230   1.983830   2.018254   2.051060
L1                   2.001700   1.988000   2.036520   2.067256   2.095660
L8,L13               1.583126   1.580139   1.589960   1.595296   1.599721
L9,L11               1.516330   1.513855   1.521905   1.526213   1.529768
CG                   1.516330   1.513855   1.521905   1.526213   1.529768
L4,L5                1.882997   1.876560   1.898221   1.910495   1.920919 
L12                  1.772499   1.767798   1.783374   1.791971   1.799174
L2                   1.903660   1.895260   1.924120   1.941280   1.956430
L3                   1.745996   1.733686   1.779447   1.811159   1.842705 
各種データ
ズーム比    4.85
広角          中間          望遠
焦点距離           5.14109       11.20864      24.95581
Ｆナンバー         3.9276         4.3937        4.9000
画角              40.3           18.6           8.9
像高               3.84           3.84          3.84
レンズ全長        54.2557        54.2557       54.2557
ＢＦ               0.39994        0.39994       0.39994
d7                 0.30754        6.01651      10.53804
d13               10.62002        4.91105       0.38953
d16                5.04309        3.23408       0.94588
d20                3.88692        3.17910       0.89311
d22                1.92261        4.43944       9.01364
ズームレンズ群データ
群    始面    焦点距離
1      1      15.61915
2      8      -7.90323
3     14      17.91265
4     17      11.02493
5     21     -10.89504
6     23      27.82352
各面の非球面量
第５面
Y            ASP            SPH           ΔｚA(h)
4.920        0.83774        0.96273        -0.12499
第６面
Y            ASP            SPH           ΔｚC(h)
4.920        0.93504        1.04042        -0.10539
第７面
Y            ASP            SPH           ΔｚB(h)
4.920       -0.33947       -0.28694        -0.05253
【０２８３】
数値実施例１３
単位 mm
面データ
面番号       r            d          nd        νd      ER
物面         ∞           ∞        1.
1*     -29.8780       1.0000      2.00170    20.60    8.255
2*      32.0693       1.6000      1.                  7.014
3           ∞        9.0000      1.90366    31.32    6.999
4           ∞        0.2000      1.                  6.281
5*      10.5805       0.1000      1.63387    23.38    6.041
6*      10.9627       3.6000      1.74320    49.34    5.995
7*     -24.8606       可変        1.                  6.000
8    -1072.9486       0.5000      1.88300    40.76    4.364
9        5.4558       2.2000      1.                  3.585
10*     -26.2701       0.6000      1.53071    55.69    3.531
11*      15.5604       0.1500      1.                  3.521
12       15.6572       1.4000      1.92286    20.88    3.534
13      -39.2565       可変        1.                  3.550
14(絞り)     ∞        可変        1.                  1.862
15*       8.0774       1.3000      1.51633    64.14    2.700
16       30.2006       0.5000      1.92286    20.88    2.796
17       10.9779       3.0000      1.51633    64.14    2.821
18*      -5.7113       可変        1.                  3.050
19       18.7585       0.6000      1.77250    49.60    2.741
20        5.6298       可変        1.                  2.640
21       17.3623       3.5000      1.58313    59.38    4.200
22       -7.1378       0.1500      1.                  3.279
23*      -9.6110       0.5000      1.94595    17.98    3.215
24      103.0662       1.5341      1.                  3.319
25           ∞        0.8000      1.51633    64.14    3.644
26           ∞        0.3896      1.                  3.758
像面         ∞
第１面
K=4.0476,A2=0.0000E+00,A4=3.2352E-04,A6=-2.4966E-06,A8=3.7810E-08,
A10=-2.1293E-10
第２面
K=-38.7408,A2=0.0000E+00,A4=2.1805E-04,A6=3.5147E-06,A8=-7.1149E-08,
A10=1.3868E-09
第５面
K=-0.1813,A2=0.0000E+00,A4=-3.8637E-04,A6=-9.3823E-07,A8=6.3666E-08,
A10=-7.7910E-10
第６面
K=-0.3236,A2=0.0000E+00,A4=-4.1744E-04,A6=1.5419E-05,A8=-4.1275E-07,
A10=4.0455E-09
第７面
K=0.,A2=0.0000E+00,A4=-1.7538E-04,A6=1.5470E-06,A8=-4.1420E-09,A10=-1.2608E-10
第１０面
K=7.4913,A2=0.0000E+00,A4=-4.3951E-04,A6=1.2408E-04,A8=-9.0434E-06,
A10=2.0281E-07
第１１面
K=-9.8990,A2=0.0000E+00,A4=-5.3948E-04,A6=1.1077E-04,A8=-9.2972E-06,
A10=2.1273E-07
第１５面
K=0.1855,A2=0.0000E+00,A4=-1.2518E-03,A6=1.7969E-05,A8=-5.8632E-06,
A10=2.8202E-07
第１８面
K=0.,A2=0.0000E+00,A4=4.8721E-04,A6=2.9812E-05,A8=-4.9014E-06,A10=1.8363E-07
第２３面
K=0.,A2=0.0000E+00,A4=1.9073E-04,A6=-1.4926E-05,A8=0.0000E+00,A10=0.0000E+00
〔硝材屈折率テーブル〕・・・ 本実施例にて使用した媒質の波長別屈折率一覧
GLA                587.56     656.27     486.13     435.84     404.66
L7,L9              1.922860   1.910380   1.954570   1.982810   2.009190
L6                 1.530710   1.527870   1.537400   1.542740   1.547272
L13                1.945950   1.931230   1.983830   2.018254   2.051060
L1                 2.001700   1.988000   2.036520   2.067256   2.095660
L3                 1.633870   1.626381   1.653490   1.671610   1.688826 
L12                1.583126   1.580139   1.589960   1.595296   1.599721
L8,L10             1.516330   1.513855   1.521905   1.526213   1.529768
CG                 1.516330   1.513855   1.521905   1.526213   1.529768
L5                 1.882997   1.876560   1.898221   1.910495   1.920919
L11                1.772499   1.767798   1.783374   1.791971   1.799174
L4                 1.743198   1.738653   1.753716   1.762046   1.769040 
L2                 1.903660   1.895260   1.924120   1.941280   1.956430
各種データ
ズーム比    4.89
広角          中間          望遠
焦点距離            5.10876      11.16443      24.99380
Ｆナンバー          3.5145        4.3053        4.9000
画角               40.5          18.6           8.7
像高                3.84          3.84          3.84
レンズ全長         54.1128       54.1128       54.1128
ＢＦ                0.38957       0.38957       0.38957
d7                  0.42246       5.07764       9.20962
d13                 9.61925       4.96408       0.83209
d14                 4.98631       3.05854       0.99987
d18                 4.49927       3.60940       0.97387
d20                 1.96189       4.77953       9.47374
ズームレンズ群データ
群   始面     焦点距離
1     1       13.08246
2     8       -8.67196
2    15        8.44242
3    19      -10.62449
4    21       87.62497
各面の非球面量
第５面
Y            ASP            SPH           ΔｚA(h)
4.975        0.99372        1.24260        -0.24888
第６面
Y            ASP            SPH           ΔｚC(h)
4.975        1.03191        1.19386        -0.16195
第７面
Y            ASP            SPH           ΔｚB(h)
4.975       -0.58958       -0.50287        -0.08670
【０２８４】
数値実施例１４
単位 mm
面データ
面番号       r            d          nd        νd      ER
物面         ∞           ∞       1.
1       18.8174       0.7000      2.00170    20.60    7.060
2        7.9849       2.7000      1.                  5.899
3           ∞         9.0000     1.90366    31.32    5.876
4           ∞         0.2000     1.                  4.820
5*      16.1244       3.0000      1.74320    49.34    4.622
6*     -12.8048       0.3000      1.69800    18.40    4.209
7*     -13.8237       可変        1.                  5.100
8*     -20.5753       0.5000      1.88300    40.76    3.361
9*      15.2373       0.7000      1.                  3.027
10      -19.5301       1.2000      1.94595    17.98    2.973
11       -7.6179       0.5000      1.74320    49.34    2.888
12       40.6130       可変        1.                  2.700
13(絞り)     ∞        可変        1.                  1.897
14*      29.0190       1.4000      1.74320    49.34    2.800
15      -19.4755       0.1500      1.                  2.946
16       10.1074       1.5000      1.51633    64.14    3.055
17       16.8715       0.5000      1.92286    20.88    3.022
18        7.5598       2.1000      1.51633    64.14    2.973
19      -13.3242       可変        1.                  3.019
20       23.7607       0.6000      1.77250    49.60    2.738
21        5.6513       可変        1.                  2.645
22       10.8474       3.0000      1.58313    59.38    3.800
23       -8.3437       0.1500      1.                  3.278
24      -11.4008       0.8000      2.00170    20.60    3.218
25           ∞        2.8305      1.                  3.302
26           ∞        0.8000      1.51633    64.14    3.679
27           ∞        0.4010      1.                  3.756
像面         ∞
第５面
K=0.,A2=0.0000E+00,A4=4.2943E-05,A6=-3.0018E-06,A8=1.7764E-08,A10=0.0000E+00
第６面
K=0.,A2=0.0000E+00,A4=7.8835E-05,A6=0.0000E+00,A8=0.0000E+00,A10=0.0000E+00
第７面
K=0.,A2=0.0000E+00,A4=1.8528E-04,A6=-3.9685E-06,A8=3.6077E-08,A10=0.0000E+00
第８面
K=0.,A2=0.0000E+00,A4=1.8307E-04,A6=1.7199E-06,A8=0.0000E+00,A10=0.0000E+00
第９面
K=0.,A2=0.0000E+00,A4=-6.6582E-05,A6=3.5275E-05,A8=0.0000E+00,A10=0.0000E+00
第１４面
K=0.,A2=0.0000E+00,A4=-2.8872E-04,A6=3.3617E-05,A8=-5.5066E-06,A10=3.2818E-07
〔硝材屈折率テーブル〕・・・ 本実施例にて使用した媒質の波長別屈折率一覧
GLA                587.56     656.27     486.13     435.84     404.66
L10                1.922860   1.910380   1.954570   1.982810   2.009190
L6                 1.945950   1.931230   1.983830   2.018254   2.051060
L1,L14             2.001700   1.988000   2.036520   2.067256   2.095660
L13                1.583126   1.580139   1.589960   1.595296   1.599721
L9,L11             1.516330   1.513855   1.521905   1.526213   1.529768
CG                 1.516330   1.513855   1.521905   1.526213   1.529768
L5                 1.882997   1.876560   1.898221   1.910495   1.920919
L12                1.772499   1.767798   1.783374   1.791971   1.799174
L3,L7,L8           1.743198   1.738653   1.753716   1.762046   1.769040 
L2                 1.903660   1.895260   1.924120   1.941280   1.956430
L4                 1.697996   1.687674   1.725604   1.751396   1.776705 
各種データ
ズーム比    4.85
広角          中間          望遠
焦点距離            5.15181      11.11778      24.97986
Ｆナンバー          3.8408        4.7202        5.6000
画角               40.3          18.8           8.6
像高                3.84          3.84          3.84
レンズ全長         53.9976       53.9976       53.9976
ＢＦ                0.40097       0.40097       0.40097
d7                  0.41234       4.65516       8.68948
d12                 9.30805       5.06524       1.03092
d13                 5.00686       2.90560       0.99847
d19                 4.23349       4.70806       2.94389
d21                 2.00541       3.63211       7.30341
ズームレンズ群データ
群   始面     焦点距離
1     1       12.24081
2     8       -6.90572
3    14        8.61509
4    20       -9.73926
5    22       25.54272
各面の非球面量
第５面
Y            ASP            SPH           ΔｚB(h)
4.906        0.75345        0.76447        -0.01102
第６面
Y            ASP            SPH           ΔｚC(h)
4.906       -0.93145       -0.97712         0.04567
第７面
Y            ASP            SPH           ΔｚA(h)
4.906       -0.83574       -0.89985         0.06411
【０２８５】
数値実施例１５
単位 mm
面データ
面番号       r            d          nd        νd      ER
物面         ∞           ∞       1.
1     -124.3347       0.8000      2.00170    20.60    7.455
2       13.6982       2.0000      1.                  6.616
3           ∞        9.0000      1.90366    31.32    6.591
4           ∞        0.2000      1.                  6.198
5*      15.0753       0.1000      1.74600    16.30    6.085
6*      12.6881       3.6000      1.88300    40.76    6.012
7*     -24.3338       可変        1.                  5.700
8*      17.0840       0.5000      1.88300    40.76    4.084
9*       6.5629       2.5000      1.                  3.464
10*     -10.4278       0.6000      1.53071    55.69    3.177
11        6.9100       0.1500      1.                  2.955
12        7.2120       1.4000      1.92286    20.88    2.965
13       16.4966       可変        1.                  2.800
14       12.3918       1.1000      1.58313    59.38    1.950
15     -136.6102       0.7000      1.                  1.929
16(絞り)     ∞        可変        1.                  1.918
17*       6.4959       1.8000      1.74320    49.34    2.300
18*     -48.8099       0.1500      1.                  2.217
19       31.3339       1.8000      1.48749    70.23    2.201
20      -56.4340       0.5000      1.84666    23.78    2.084
21        5.6067       可変        1.                  2.039
22       28.9177       0.5000      1.92286    20.88    2.840
23        8.0652       2.5000      1.58313    59.38    2.915
24       -9.5964       可変        1.                  3.187
25           ∞        0.8000      1.51633    64.14    3.754
26           ∞        0.3953      1.                  3.808
像面         ∞
第５面
K=0.,A2=0.0000E+00,A4=-1.4749E-05,A6=3.9449E-06,A8=7.7478E-08,A10=-7.4169E-10
第６面
K=0.,A2=0.0000E+00,A4=2.8140E-05,A6=-2.3794E-06,A8=0.0000E+00,A10=0.0000E+00
第７面
K=0.,A2=0.0000E+00,A4=9.6263E-05,A6=-4.6472E-06,A8=1.0108E-07,A10=-1.0004E-09
第８面
K=0.,A2=0.0000E+00,A4=1.2516E-03,A6=4.1160E-05,A8=-4.2020E-06,A10=5.5896E-08
第９面
K=0.,A2=0.0000E+00,A4=1.5672E-03,A6=8.8211E-05,A8=-3.2815E-07,A10=-2.8717E-07
第１０面
K=0.,A2=0.0000E+00,A4=2.3567E-04,A6=-7.0923E-05,A8=9.0670E-06,A10=-3.1072E-07
第１７面
K=0.,A2=0.0000E+00,A4=7.4924E-04,A6=-7.1956E-05,A8=2.4707E-05,A10=-1.2737E-06
第１８面
K=0.,A2=0.0000E+00,A4=1.8898E-03,A6=-1.6100E-04,A8=4.9883E-05,A10=-2.9441E-06
〔硝材屈折率テーブル〕・・・ 本実施例にて使用した媒質の波長別屈折率一覧
GLA                  587.56     656.27     486.13     435.84     404.66
L7,L12               1.922860   1.910380   1.954570   1.982810   2.009190
L6                   1.530710   1.527870   1.537400   1.542740   1.547272
L1                   2.001700   1.988000   2.036520   2.067256   2.095660
L8,L13               1.583126   1.580139   1.589960   1.595296   1.599721
CG                   1.516330   1.513855   1.521905   1.526213   1.529768
L10                  1.487490   1.485344   1.492285   1.495963   1.498983
L4,L5                1.882997   1.876560   1.898221   1.910495   1.920919 
L9                   1.743198   1.738653   1.753716   1.762046   1.769040
L11                  1.846660   1.836488   1.872096   1.894186   1.914294
L2                   1.903660   1.895260   1.924120   1.941280   1.956430
L3                   1.745996   1.733686   1.779447   1.811159   1.842705 
各種データ
ズーム比    4.99
広角          中間          望遠
焦点距離            5.00711      11.12355      24.98631
Ｆナンバー          4.0618        4.8612        5.6000
画角               41.2          19.0           8.8
像高                3.84          3.84          3.84
レンズ全長         55.5714       55.5714       55.5714
ＢＦ                0.39526       0.39526       0.39526
d7                  0.47316       5.63944      10.01340
d13                 9.97719       4.81091       0.43694
d16                 5.76889       1.85552       1.65200
d21                 3.30315       6.88415      11.19028
d24                 4.95373       5.28609       1.18349
ズームレンズ群データ
群     始面   焦点距離
1       1     14.48532
2       8     -6.76177
3      14     19.53649
4      17     26.32124
5      22     19.47546
各面の非球面量
第５面
Y            ASP            SPH           ΔｚA(h)
5.140        0.84848        0.90332        -0.05484
第６面
Y            ASP            SPH           ΔｚC(h)
5.140        1.06351        1.08774        -0.02424
第７面
Y            ASP            SPH           ΔｚB(h)
5.140       -0.53119       -0.54905         0.01786
【０２８６】
次に、各実施例における条件式の値を掲げる。
Ex.1         Ex.2          Ex.3          Ex.4
fw                         5.183        5.181         5.154         5.204
y10                        3.84         3.84          3.84          3.84
vd(12B)-vd(11)            28.74        31.57         20.16         28.74
vd(12A)-vd(12B)          -25.96       -25.96        -17.38        -29.24
f12A                     333.498       83.6434     -139.8193      412.8358
f1/f12A                    0.03914      0.15850      -0.11167       0.03268
h                          4.858        4.863         4.897         4.826
a                          1.9433       1.9452        1.95885       1.93024
R12C                      11.3989      13.6477       11.4698       11.7170
Δz12A(h)                 -0.15284     -0.15884      -0.14462      -0.13817
Δz12B(h)                 -0.01315     -0.02825      -0.09560      -0.02303
Δz12C(h)                 -0.06067     -0.05254      -0.06017      -0.10071
vd(12A)                   23.38        23.38         23.38         20.10
vd(12B)                   49.34        49.34         40.76         49.34
(Δz12C(h)-Δz12A(h))/vd(12A)
3.94225e-3   4.54662e-3    3.61206e-3    1.86368e-3
(Δz12C(h9)-Δz12B(h))/vd(12B)
-9.63113e-4  -4.92298e-4    8.69235e-4   -1.57438e-3
θgF(12A)                  0.6684       0.6684        0.6684        0.6860
β(12A)                    0.8243       0.8243        0.8243        0.8201
θhg(12A)                  0.6351       0.6351        0.6351        0.6774
βhg(12A)                  0.9002       0.9002        0.9002        0.9053
Dp                         4.72773      4.72773       4.72773       4.72773
-f11/Dp                   -3.48600     -3.79270      -3.69259      -3.79943
f12/Dp                     2.21394      2.27564       2.43745       2.28255
(R11F＋R12F)/(R11F−R12F) -0.01880      0.13076      -0.03242       0.01728
f2/f1                     -0.54152     -0.51910      -0.50711      -0.52201
n(12B)                     1.74320      1.74320       1.88300       1.74320
f5/(fw・ft)1/2              -0.86482     -0.89704      -0.96139      -0.92214
y07                        2.688        2.688         2.688         2.688
tanω07                     0.54631      0.53760       0.55043       0.54141
y07/(fｗ・tanω07w)         0.9493       0.9651        0.9475        0.9540
Ex.5         Ex.6          Ex.7          Ex.8
ｆw                        5.252        5.229         5.386         5.519
y10                        3.84         3.84          3.84          3.84
vd(12B)-vd(11)            28.74        28.74         28.74         28.74
vd(12A)-vd(12B)          -25.96       -25.96        -25.96        -33.04
f12A                     239.2153     410.2154       271.5910     190.0760
f1/f12A                    0.05589      0.03237        0.04990      0.06420
h                          4.753        4.786          4.559        4.371
a                          1.90117      1.91424        1.82351      1.74823
R12C                     -24.3525      12.4516        15.3150      10.6953
Δz12A(h)                 -0.04778     -0.01401       -0.02997     -0.14960
Δz12B(h)                 -0.15751      0.09496        0.06635     -0.04371
Δz12C(h)                 -0.11828      0.02551        0.01354     -0.11157
vd(12A)                   23.38        23.38          23.38        16.30
vd(12B)                   49.34        49.34          49.34        49.34
(Δz12C(h)-Δz12A(h))/vd(12A)
-3.01540e-3   1.69033e-3     1.86099e-3   2.33313e-3
(Δz12C(h)-Δz12B(h))/vd(12B)
7.95095e-4  -1.40758e-3    -1.07033e-3  -1.37535e-3
θgF(12A)                  0.6684       0.6684         0.6684       0.6930
β(12A)                    0.8243       0.8243         0.8243       0.8017
θhg(12A)                  0.6351       0.6351         0.6351       0.6894
βhg(12A)                  0.9002       0.9002         0.9002       0.8742
Dp                         4.72773      4.72773        4.72773      4.72773
-f11/Dp                   -3.83579     -3.99329       -3.48814     -2.62320
f12/Dp                     2.27849      2.28602        2.21793      2.06930
(R11F＋R12F)/(R11F−R12F)  0.06678     -0.01928       -0.55458     -0.54102
f2/f1                     -0.53243     -0.57846       -0.42419     -0.60210
n(12B)                     1.74320      1.74320        1.74320      1.74320
f5/(fw・ft)1/2              -0.90496     -0.82108       -0.85741     -0.70630
y07                        2.688        2.688          2.688        2.688
tanω07                     0.53876      0.54118       -0.54403      0.51426
y07/(fw・tanω07w)          0.9500       0.9499         0.9174       0.9471
Ex.9         Ex.10          Ex.11        Ex.12
ｆw                        5.193        5.270          5.367        5.141
y10                        3.84         3.84           3.84         3.84
vd(12B)-vd(11)            28.74        28.74          37.56        20.16
vd(12A)-vd(12B)          -28.14       -33.54         -34.78       -24.46
f12A                     138.5764     249.2400       482.2691    -248.0531
f1/f12A                    0.08850      0.04987        0.02767     -0.06296
h                          4.835        4.710          4.571        4.920
a                          1.93389      1.88413        1.82820      1.96802
R12C                      11.8569      11.0505        19.7542      12.1532
Δz12A(h)                 -0.19152     -0.08184       -0.00142     -0.12499
Δz12B(h)                 -0.03266      0.03489        0.03979     -0.05253
Δz12C(h)                 -0.07944     -0.03489        0.01326     -0.10539
vd(12A)                   21.20        15.80          23.38        16.30
vd(12B)                   49.34        49.34          58.16        40.76
(Δz12C(h)-Δz12A(h))/vd(12A)
5.28679e-3   2.97152e-3     6.27887e-4   1.20245e-3
(Δz12C(h)-Δz12B(h))/vd(12B)
-9.48115e-4  -1.41427e-3    -4.56155e-4  -1.29686e-3
θgF(12A)                  0.6610       0.7070         0.6684       0.6930
β(12A)                    0.8024       0.8124         0.8243       0.8017
θhg(12A)                  0.6350       0.7131         0.6351       0.6894
βhg(12A)                  0.8754       0.8923         0.9002       0.8742
Dp                         4.72773      4.72773        4.72773      4.72773
-f11/Dp                   -2.84792     -3.06898       -3.38718     -3.75104
f12/Dp                     2.09009      2.11512        2.19864      2.44661
(R11F＋R12F)/(R11F−R12F)  0.03538      0.20120       -0.09009     -0.03192
f2/f1                     -0.67855     -0.63264       -0.55809     -0.50600
n(12B)                     1.74320      1.74320        1.62263      1.88300
f5/(fw・ft)1/2              -0.54645     -0.54714       -0.80690     -0.96182
y07                        2.688        2.688          2.688        2.688
tanω07                     0.56088      0.55293        0.52858      0.55403
y07/(fw・tanω07w)          0.9229       0.9225         0.9475       0.9437
Ex.13        Ex.14           Ex.15
fw                         5.109        5.152           5.007
y10                        3.84         3.84            3.84
vd(12B)-vd(11)            23.95        28.74           20.16
vd(12A)-vd(12B)          -25.96       -30.94          -24.46
f12A                     434.6385    -283.1455       -109.3667
f1/f12A                   -0.03010     -0.04323        -0.13245
h                          4.975        4.906           5.140
a                          1.99020      1.96244         2.05594
R12C                      10.9627     -12.8048         12.6881
Δｚ12A(h)                -0.24888      0.06411        -0.05484
Δｚ12B(h)                -0.08670     -0.01102         0.01786
Δｚ12C(h)                -0.16195      0.04567        -0.02424
vd(12A)                   23.38        18.40           16.30
vd(12B)                   49.34        49.34           40.76
(Δz12C(h)-Δz12A(h))/vd(12A)
3.71814e-3  -1.00217e-3      1.87730e-3
(Δz12C(h)-Δz12B(h))/vd(12B)
-1.52513e-3   1.14897e-3     -1.03288e-3
θgF(12A)                  0.6684       0.6800          0.6930
β(12A)                    0.8243       0.8027          0.8017
θhg(12A)                  0.6351       0.6673          0.6894
βhg(12A)                  0.9002       0.8760          0.8742
Dp                         4.72773      4.72773         4.72773
-f11/Dp                   -3.23993     -3.02680        -2.59793
f12/Dp                     2.21908      2.21743         2.29273
(R11F+R12F)/(R11F-R12F)   -0.03537      2.47425         0.80152
f2/f1                     -0.66287     -0.56416        -0.46680
n(12B)                     1.74320      1.74320         1.88300
f5/(fw・ft)1/2              -0.94022     -0.85852         ***
y07                        2.688        2.688           2.688
tanω07                     0.56207      0.55636         0.57313
y07/(fw・tanω07w)          0.9361       0.9378          0.9367
各実施例
｛P(LA) − P(LB) ｝／ｙ10  の値
(1)1.27744e-3  （ｄ線の屈折率差＝0.10933）
(2)1.31222e-3  （ｄ線の屈折率差＝0.10933）
(3)7.14277e-4  （ｄ線の屈折率差＝0.24913）
(4)8.95328e-4  （ｄ線の屈折率差＝0.07220）
(5)-9.92316e-4  （ｄ線の屈折率差＝0.10933）
(6)8.06747e-4  （ｄ線の屈折率差＝0.10933）
(7)7.63365e-4  （ｄ線の屈折率差＝0.10933）
(8)9.65750e-4  （ｄ線の屈折率差＝0.00280）
(9)1.62367e-3  （ｄ線の屈折率差＝0.08620）
(10)1.14213e-3  （ｄ線の屈折率差＝0.01980）
(11)2.82302e-4  （ｄ線の屈折率差＝0.01124）
(12)6.50862e-4  （ｄ線の屈折率差＝0.13700）
(13)1.36543e-3  （ｄ線の屈折率差＝0.10933）
(14)-5.60193e-4  （ｄ線の屈折率差＝0.04520）
(15)7.57859e-4  （ｄ線の屈折率差＝0.13700）
＊ （５）と（１４）の接合面Ｒは負値でその他が正。
【０２８７】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０２８８】
図３１〜図３３に本発明による結像光学系をデジタルカメラの撮影光学系４１に組み込んだ構成の概念図を示す。図３１はデジタルカメラ４０の外観を示す前方斜視図、図３２は同後方斜視図、図３３はデジタルカメラ４０の光学構成を示す断面図である。
【０２８９】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１の結像光学系を通して撮影が行われる。なお、図３３に示す結像光学系４８は概略図であるので、実施例１のレンズ断面図とは異なる。
【０２９０】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０２９１】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０２９２】
このように構成されたデジタルカメラ４０によれば、撮影光学系４１の構成枚数を少なくした小型化・薄型化の結像光学系を有する電子撮像装置が実現できる。なお、本発明は、上述した沈胴式のデジタルカメラに限られず、屈曲光学系を採用する折り曲げ式のデジタルカメラにも適用できる。
【０２９３】
次に、本発明の結像光学系が対物光学系として内蔵された情報処理装置の一例であるパソコンを図３４〜図３６に示す。図３４はパソコン３００のカバーを開いた状態の前方斜視図、図３５はパソコン３００の撮影光学系３０３の断面図、図３６は図３４の側面図である。図３４〜図３６に示されるように、パソコン３００は、キーボード３０１と、情報処理手段や記録手段と、モニター３０２と、撮影光学系３０３とを有している。
【０２９４】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０２９５】
この撮影光学系３０３は、撮影光路３０４上に、例えば実施例１の結像光学系からなる対物光学系１００と、像を受光する電子撮像素子チップ１６２とを有している。これらはパソコン３００に内蔵されている。
【０２９６】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図３４には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０２９７】
次に、本発明の結像光学系が撮影光学系として内蔵された情報処理装置の一例である電話、特に持ち運びに便利な携帯電話を図３７に示す。図３７（a）は携帯電話４００の正面図、図３７（b）は側面図、図３７（c）は撮影光学系４０５の断面図である。図３７（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０２９８】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０２９９】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１の結像光学系が用いられる。これらは、携帯電話４００に内蔵されている。
【０３００】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０３０１】
なお、本発明は、その趣旨を逸脱しない範囲で様々な変形例をとることができる。
【産業上の利用可能性】
【０３０２】
以上のように、本発明に係る結像光学系は、全長の短縮、高ズーム比化、高画素数化に対応した電子撮像装置に有用である。
【符号の説明】
【０３０３】
Ｇ１          第１レンズ群
Ｇ２          第２レンズ群
Ｇ３          第３レンズ群
Ｇ４          第４レンズ群
Ｇ５          第５レンズ群
Ｇ６          第６レンズ群
Ｌ１〜Ｌ１６        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          結像光学系
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2011039101.tif 000003
【図２】
2011039101.tif 000004
【図３】
2011039101.tif 000005
【図４】
2011039101.tif 000006
【図５】
2011039101.tif 000007
【図６】
2011039101.tif 000008
【図７】
2011039101.tif 000009
【図８】
2011039101.tif 000010
【図９】
2011039101.tif 000011
【図１０】
2011039101.tif 000012
【図１１】
2011039101.tif 000013
【図１２】
2011039101.tif 000014
【図１３】
2011039101.tif 000015
【図１４】
2011039101.tif 000016
【図１５】
2011039101.tif 000017
【図１６】
2011039101.tif 000018
【図１７】
2011039101.tif 000019
【図１８】
2011039101.tif 000020
【図１９】
2011039101.tif 000021
【図２０】
2011039101.tif 000022
【図２１】
2011039101.tif 000023
【図２２】
2011039101.tif 000024
【図２３】
2011039101.tif 000025
【図２４】
2011039101.tif 000026
【図２５】
2011039101.tif 000027
【図２６】
2011039101.tif 000028
【図２７】
2011039101.tif 000029
【図２８】
2011039101.tif 000030
【図２９】
2011039101.tif 000031
【図３０】
2011039101.tif 000032
【図３１】
2011039101.tif 000033
【図３２】
2011039101.tif 000034
【図３３】
2011039101.tif 000035
【図３４】
2011039101.tif 000036
【図３５】
2011039101.tif 000037
【図３６】
2011039101.tif 000038
【図３７】
2011039101.tif 000039